(57)【要約】【課題】売上計上及び仕入れ計上を早くすることができ、商流と物流の一致を図る事ができる納品書発行代行システム及びその方法を提供すること。【解決手段】この発明にかかる納品書発行代行システムは、元販売者の元販売者サーバーを備える、納品書発行代行システムであって、商品の発注に基づき、発注者に、自らの名において商品を販売する販売者自らの納品書データを、通信回線を介して受信する、納品書発行手段と、販売者自らの名において納品書を発行し且つ納品先へ配送する依頼を受信する、納品書発行依頼手段と、記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段とを備え、代行発行納品書とともに納品先に配送する。【選択図】図１
2009015481.tif 000002
【特許請求の範囲】
【請求項１】
元販売者の元販売者サーバーを備える、納品書発行代行システムであって、
商品の発注に基づき、発注者に、自らの名において商品を販売する販売者自らの納品書データを、通信回線を介して受信する、納品書発行手段と、
販売者自らの名において納品書を発行し且つ納品先へ配送する依頼を受信する、納品書発行依頼手段と、
元販売者の下にある商品の在庫の情報を記憶する、商品情報記憶手段と、
発注者のサーバー及び／又は前記販売者のサーバーに該商品の情報を呈示する、商品情報呈示手段と、
元販売者の下にある商品の存在を確認する、商品存在確認手段と、
記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段と、
前記納品先へ配送した商品に関する前記販売者に対する売り上げ情報を送信する、販売者向け売り上げ情報送信手段とを備え、
注文情報により、取り揃えた商品群の中から商品を抽出し、代行発行納品書とともに納品先に配送する、納品書発行代行システム。
【請求項２】
納品書を発行代行するサーバプログラムを記録したコンピュータ読み取り可能な記録媒体において、
商品の発注に基づき、発注者に、自らの名において商品を販売する販売者自らの納品書データを、通信回線を介して受信する、納品書発行手段と、
販売者自らの名において納品書を発行し且つ納品先へ配送する依頼を受信する、納品書発行依頼手段と、
元販売者の下にある商品の在庫の情報を記憶する、商品情報記憶手段と、
発注者のサーバー及び／又は前記販売者のサーバーに該商品の情報を呈示する、商品情報呈示手段と、
元販売者の下にある商品の存在を確認する、商品存在確認手段と、
記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段と、
前記納品先へ配送した商品に関する前記販売者に対する売り上げ情報を送信する、販売者向け売り上げ情報送信手段、
としてコンピュータを機能させることを特徴とするサーバプログラムを記録したコンピュータ読み取り可能な記録媒体。
【請求項３】
商品情報記憶手段は、販売者コード、顧客コード、商品コード、在庫数量、販売者向け単価、顧客向け単価に関する情報を記憶する、請求項１又は２に記載の納品書発行代行システム又はサーバプログラムを記録したコンピュータ読み取り可能な記録媒体。
【請求項４】
納品書代行発行手段は、
前記販売者の顧客向け単価、販売数量を表した代行発行納品書を発行する、請求項１ないし３のいずれかに記載の納品書発行代行システム又はサーバプログラムを記録したコンピュータ読み取り可能な記録媒体。
【請求項５】
前記元販売者サーバーは、
前記顧客に対し、顧客向け単価、商品コード、数量、顧客先名を含む顧客からの注文データを、元販売者サーバーに送信することを促す注文登録画面を送信する、注文登録画面送信手段とを含む、請求項１ないし４のいずれかに記載の納品書発行代行システム又はサーバプログラムを記録したコンピュータ読み取り可能な記録媒体。
【請求項６】
元販売者サーバーは、
顧客向け納品書に、販売者の住所、名称、氏名等の販売者を特定する情報、顧客発注番号（No.）、発注番号（No.）、代行納品書番号（No.）を表示する納品書特定情報表示手段を含む、請求項１ないし５のいずれかに記載の納品書発行代行システム又はサーバプログラムを記録したコンピュータ読み取り可能な記録媒体。
【請求項７】
更に、
記憶手段に格納された自らの納品書データを元販売者サーバーに通信回線を介して送信する納品書発行手段と、
自らの名の下に納品書を発行し且つ納品先へ配送することを、元販売者サーバーに依頼する納品書発行依頼手段とを備える、販売者サーバーを含む、請求項１ないし６のいずれかに記載の納品書発行代行システム又はサーバプログラムを記録したコンピュータ読み取り可能な記録媒体。
【請求項８】
更に、
顧客向け単価、商品コード、数量、顧客先名を含む顧客からの注文データを、元販売者サーバーに送信する、顧客からの注文データ送信手段を備える販売者サーバーを含む、請求項１ないし７のいずれかに記載の納品書発行代行システム又はサーバプログラムを記録したコンピュータ読み取り可能な記録媒体。
【請求項９】
元販売者の元販売者サーバーによる、納品書発行代行方法であって、
商品の発注に基づき、発注者に、自らの名において商品を販売する販売者自らの納品書データを、通信回線を介して受信する、納品書発行ステップと、
販売者自らの名において納品書を発行し且つ納品先へ配送する依頼を受信する、納品書発行依頼ステップと、
元販売者の下にある商品の在庫の情報を記憶する、商品情報記憶ステップと、
発注者のサーバー及び／又は前記販売者のサーバーに該商品の情報を呈示する、商品情報呈示ステップと、
元販売者の下にある商品の存在を確認する、商品存在確認ステップと、
記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行ステップと、
前記納品先へ配送した商品に関する前記販売者に対する売り上げ情報を送信する、販売者向け売り上げ情報送信ステップとを備え、
注文情報により、取り揃えた商品群の中から商品を抽出し、代行発行納品書とともに納品先に配送する、納品書発行代行方法。
【請求項１０】
商品情報記憶ステップは、販売者コード、顧客コード、商品コード、在庫数量、販売者向け単価、顧客向け単価に関する情報を記憶する、請求項９に記載の納品書発行代行方法。
【請求項１１】
納品書代行発行ステップは、
前記販売者の顧客向け単価、販売数量を表した納品書を発行する、請求項９又は１０に記載の納品書発行代行方法。
【請求項１２】
前記元販売者サーバーは、
前記顧客に対し、顧客向け単価、商品コード、数量、顧客先名を含む顧客からの注文データを、元販売者サーバーに送信することを促す注文登録画面を送信する、注文登録画面送信ステップとを含む、請求項９ないし１１のいずれかに記載の納品書発行代行方法。
【請求項１３】
元販売者サーバーは、
顧客向け納品書に、販売者の住所、名称、氏名等の販売者を特定する情報、顧客発注番号（No.）、発注番号（No.）、代行納品書番号（No.）を表示する納品書特定情報表示ステップを含む、請求項９ないし１２のいずれかに記載の納品書発行代行方法。
【請求項１４】
更に、
記憶手段に格納された自らの納品書データを元販売者サーバーに通信回線を介して送信する納品書発行ステップと、
自らの名の下に納品書を発行し且つ納品先へ配送することを、元販売者サーバーに依頼する納品書発行依頼ステップとを行う、販売者サーバーを含む、請求項９ないし１３のいずれかに記載の納品書発行代行方法。
【請求項１５】
更に、
顧客向け単価、商品コード、数量、顧客先名を含む顧客からの注文データを、元販売者サーバーに送信する、顧客からの注文データ送信ステップを行う販売者サーバーを含む、請求項８ないし１４のいずれかに記載の納品書発行代行方法。
【請求項１６】
代行発行納品書は、販売者を特定する文字又は図形が記入される、請求項１ないし１４のいずれかに記載の納品書発行代行システム、サーバプログラムを記録したコンピュータ読み取り可能な記録媒体又は納品書発行代行方法。
【請求項１７】
代行発行納品書は、代行発行納品書番号、顧客発注番号、発注番号のうち少なくとも１つが記入される、請求項１ないし１６のいずれかに記載の納品書発行代行システム、サーバプログラムを記録したコンピュータ読み取り可能な記録媒体又は納品書発行代行方法。
【発明の詳細な説明】
【技術分野】
【０００１】
この発明は、納品書発行代行システム、サーバプログラムを記録したコンピュータ読み取り可能な記録媒体及び納品書発行代行方法に関し、特に、例えば商品のカタログ販売時における納品書の発行を販売者に代わり元販売者が代行するシステム、サーバプログラムを記録したコンピュータ読み取り可能な記録媒体及び納品書発行代行方法に関する。
【背景技術】
【０００２】
従来、新聞や雑誌、テレビ、カタログ、インターネットのホームページなどで広告し、郵便や電話、ファクシミリ、電子メール（Ｅメール）などで注文を受け、商品を配送する通信販売において、顧客情報や物品の配送情報などの管理に有用なシステムとして、物品配送情報管理システム及び方法が呈示されている。
多様な商品を品揃えして通信販売する形態では、商品の広告主であって顧客から商品購入の注文を受けて顧客と売買契約を行う者（以下、受注業者という）と、受注業者から商品の発送指示を受け、顧客へ商品を発送する者（以下、出荷業者という）が異なる場合がある。
【０００３】
【特許文献１】特許第３６３９１８８号公報
【発明の開示】
【発明が解決しようとする課題】
【０００４】
従来の商品の納入される場合、商品の価格の表示がなされていない出荷案内書が、販売される商品とともに顧客のもとに届き、顧客のもとにおいては、商品が届けられても、その価格がわからないので、仕入れ計上がその時点ですることができない。
そのため、現在、商流と物流の一致が望まれている。
又、カタログによる販売をする代理店においては、カタログによる販売をする業者によって、納品書を発行し、顧客に向けて直接代理店に代わって、納品書を発行し、商品とともに納品書を届けられる商流と物流の一致した売上計上ができることが望まれている。
【０００５】
それゆえに、この発明の主たる目的は、売上計上及び仕入れ計上を早くすることができ、商流と物流の一致を図る事ができる納品書発行代行システム及びその方法を提供することである。
【課題を解決するための手段】
【０００６】
この発明にかかる納品書発行代行システムは、元販売者の元販売者サーバーを備える、納品書発行代行システムであって、商品の発注に基づき、発注者に、自らの名において商品を販売する販売者自らの納品書データを、通信回線を介して受信する、納品書発行手段と、販売者自らの名において納品書を発行し且つ納品先へ配送する依頼を受信する、納品書発行依頼手段と、元販売者の下にある商品の在庫の情報を記憶する、商品情報記憶手段と、発注者のサーバー及び／又は前記販売者のサーバーに該商品の情報を呈示する、商品情報呈示手段と、元販売者の下にある商品の存在を確認する、商品存在確認手段と、記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段と、前記納品先へ配送した商品に関する前記販売者に対する売り上げ情報を送信する、販売者向け売り上げ情報送信手段とを備え、注文情報により、取り揃えた商品群の中から商品を抽出し、代行発行納品書とともに納品先に配送する、納品書発行代行システムである。
この発明の請求項２にかかるサーバプログラムを記録したコンピュータ読み取り可能な記録媒体は、納品書を発行代行するサーバプログラムを記録したコンピュータ読み取り可能な記録媒体において、商品の発注に基づき、発注者に、自らの名において商品を販売する販売者自らの納品書データを、通信回線を介して受信する、納品書発行手段と、販売者自らの名において納品書を発行し且つ納品先へ配送する依頼を受信する、納品書発行依頼手段と、元販売者の下にある商品の在庫の情報を記憶する、商品情報記憶手段と、発注者のサーバー及び／又は前記販売者のサーバーに該商品の情報を呈示する、商品情報呈示手段と、元販売者の下にある商品の存在を確認する、商品存在確認手段と、記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段と、前記納品先へ配送した商品に関する前記販売者に対する売り上げ情報を送信する、販売者向け売り上げ情報送信手段、としてコンピュータを機能させることを特徴とするサーバプログラムを記録したコンピュータ読み取り可能な記録媒体である。
この発明の請求項３にかかる納品書発行代行システム又はサーバプログラムを記録したコンピュータ読み取り可能な記録媒体は、商品情報記憶手段は、販売者コード、顧客コード、商品コード、在庫数量、販売者向け単価、顧客向け単価に関する情報を記憶する、請求項１又は２に記載の納品書発行代行システム又はサーバプログラムを記録したコンピュータ読み取り可能な記録媒体である。
この発明の請求項４にかかる納品書発行代行システム又はサーバプログラムを記録したコンピュータ読み取り可能な記録媒体は、納品書代行発行手段が、
前記販売者の顧客向け単価、販売数量を表した代行発行納品書を発行する、請求項１ないし３のいずれかに記載の納品書発行代行システム又はサーバプログラムを記録したコンピュータ読み取り可能な記録媒体である。
この発明の請求項５にかかる納品書発行代行システム又はサーバプログラムを記録したコンピュータ読み取り可能な記録媒体は、前記元販売者サーバーが、
前記顧客に対し、顧客向け単価、商品コード、数量、顧客先名を含む顧客からの注文データを、元販売者サーバーに送信することを促す注文登録画面を送信する、注文登録画面送信手段とを含む、請求項１ないし４のいずれかに記載の納品書発行代行システム又はサーバプログラムを記録したコンピュータ読み取り可能な記録媒体である。
この発明の請求項６にかかる納品書発行代行システム又はサーバプログラムを記録したコンピュータ読み取り可能な記録媒体は、元販売者サーバーが、
顧客向け納品書に、販売者の住所、名称、氏名等の販売者を特定する情報、顧客発注番号（No.）、発注番号（No.）、代行納品書番号（No.）を表示する納品書特定情報表示手段を含む、請求項１ないし５のいずれかに記載の納品書発行代行システム又はサーバプログラムを記録したコンピュータ読み取り可能な記録媒体である。
この発明の請求項７にかかる納品書発行代行システム又はサーバプログラムを記録したコンピュータ読み取り可能な記録媒体は、更に、記憶手段に格納された自らの納品書データを元販売者サーバーに通信回線を介して送信する納品書発行手段と、自らの名の下に納品書を発行し且つ納品先へ配送することを、元販売者サーバーに依頼する納品書発行依頼手段とを備える、販売者サーバーを含む、請求項１ないし６のいずれかに記載の納品書発行代行システム又はサーバプログラムを記録したコンピュータ読み取り可能な記録媒体である。
この発明の請求項８にかかる納品書発行代行システム又はサーバプログラムを記録したコンピュータ読み取り可能な記録媒体は、更に、顧客向け単価、商品コード、数量、顧客先名を含む顧客からの注文データを、元販売者サーバーに送信する、顧客からの注文データ送信手段を備える販売者サーバーを含む、請求項１ないし７のいずれかに記載の納品書発行代行システム又はサーバプログラムを記録したコンピュータ読み取り可能な記録媒体である。
この発明の請求項９にかかる納品書発行代行方法は、元販売者の元販売者サーバーによる、納品書発行代行方法であって、商品の発注に基づき、発注者に、自らの名において商品を販売する販売者自らの納品書データを、通信回線を介して受信する、納品書発行ステップと、販売者自らの名において納品書を発行し且つ納品先へ配送する依頼を受信する、納品書発行依頼ステップと、元販売者の下にある商品の在庫の情報を記憶する、商品情報記憶ステップと、発注者のサーバー及び／又は前記販売者のサーバーに該商品の情報を呈示する、商品情報呈示ステップと、元販売者の下にある商品の存在を確認する、商品存在確認ステップと、記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行ステップと、前記納品先へ配送した商品に関する前記販売者に対する売り上げ情報を送信する、販売者向け売り上げ情報送信ステップとを備え、注文情報により、取り揃えた商品群の中から商品を抽出し、代行発行納品書とともに納品先に配送する、納品書発行代行方法である。
この発明の請求項１０にかかる納品書発行代行方法は、商品情報記憶ステップが、販売者コード、顧客コード、商品コード、在庫数量、販売者向け単価、顧客向け単価に関する情報を記憶する、請求項９に記載の納品書発行代行方法である。
この発明の請求項１１にかかる納品書発行代行方法は、納品書代行発行ステップは、
前記販売者の顧客向け単価、販売数量を表した納品書を発行する、請求項９又は１０に記載の納品書発行代行方法である。
この発明の請求項１２にかかる納品書発行代行方法は、前記元販売者サーバーは、
前記顧客に対し、顧客向け単価、商品コード、数量、顧客先名を含む顧客からの注文データを、元販売者サーバーに送信することを促す注文登録画面を送信する、注文登録画面送信ステップとを含む、請求項９ないし１１のいずれかに記載の納品書発行代行方法である。
この発明の請求項１３にかかる納品書発行代行方法は、元販売者サーバーが、
顧客向け納品書に、販売者の住所、名称、氏名等の販売者を特定する情報、顧客発注番号（No.）、発注番号（No.）、代行納品書番号（No.）を表示する納品書特定情報表示ステップを含む、請求項９ないし１２のいずれかに記載の納品書発行代行方法である。
この発明の請求項１４にかかる納品書発行代行方法は、更に、記憶手段に格納された自らの納品書データを元販売者サーバーに通信回線を介して送信する納品書発行ステップと、
自らの名の下に納品書を発行し且つ納品先へ配送することを、元販売者サーバーに依頼する納品書発行依頼ステップとを行う、販売者サーバーを含む、請求項９ないし１３のいずれかに記載の納品書発行代行方法である。
この発明の請求項１５にかかる納品書発行代行方法は、更に、顧客向け単価、商品コード、数量、顧客先名を含む顧客からの注文データを、元販売者サーバーに送信する、顧客からの注文データ送信ステップを行う販売者サーバーを含む、請求項８ないし１４のいずれかに記載の納品書発行代行方法である。
この発明の請求項１６にかかる代行発行納品書は、販売者を特定する文字又は図形が記入される、請求項１ないし１４のいずれかに記載の納品書発行代行システム、サーバプログラムを記録したコンピュータ読み取り可能な記録媒体又は納品書発行代行方法である。
この発明の請求項１６にかかる納品書発行代行方法は、代行発行納品書は、代行発行納品書番号、顧客発注番号、発注番号のうち少なくとも１つが記入される、請求項１ないし１６のいずれかに記載の納品書発行代行システム、サーバプログラムを記録したコンピュータ読み取り可能な記録媒体又は納品書発行代行方法である。
【発明の効果】
【０００７】
この発明によれば、元販売者の元販売者サーバーを備える、納品書発行代行システムであって、商品の発注に基づき、発注者に、自らの名において商品を販売する販売者自らの納品書データを、通信回線を介して受信する、納品書発行手段と、販売者自らの名において納品書を発行し且つ納品先へ配送する依頼を受信する、納品書発行依頼手段と、元販売者の下にある商品の在庫の情報を記憶する、商品情報記憶手段と、発注者のサーバー及び／又は前記販売者のサーバーに該商品の情報を呈示する、商品情報呈示手段と、元販売者の下にある商品の存在を確認する、商品存在確認手段と、記憶手段に格納された販売者の納品書データを抽出し、注文情報に基づき、前記注文に対応する納品先に該注文された商品に関する販売者の納品書を、元販売者のもとより前記販売者の名において発行し且つ前記商品とともに納品先へ発送するための、納品書代行発行手段と、前記納品先へ配送した商品に関する前記販売者に対する売り上げ情報を送信する、販売者向け売り上げ情報送信手段とを備え、注文情報により、取り揃えた商品群の中から商品を抽出し、代行発行納品書とともに納品先に配送するので、発注商品を受け取った顧客は、販売者から送られた商品を受け取ると同時に商品と代行発行納品書を検収することができ、且つ代行発行納品書により、直ちに、仕入れ計上等の会計処理をすることができ、売り上げ計上および仕入れ計上を速くすることができる。このように、この発明によれば、商流と物流の一致を図ることができる。
また、販売者は、元販売者によって納品書が顧客に送られるので、納品書の発行の手間を省略することができる。
請求項３の発明によれば、商品情報記憶手段は、販売者コード、顧客コード、商品コード、在庫数量、販売者向け単価、顧客向け単価に関する情報を記憶するので、代行発行納品書フォーマットに、顧客及び販売者からの要求に基づいて、商品に関する情報を当て嵌めて、代行発行納品書を発行することができる。
請求項４の発明によれば、納品書代行発行手段は、前記販売者の顧客向け単価、販売数量を表した代行発行納品書を発行するので、代行発行納品書フォーマットに、顧客および販売者からの要求に基づいて、商品に関する情報を当て嵌めて、代行発行納品書を発行することができる。
請求項５の発明によれば、前記元販売者サーバーは、前記顧客に対し、顧客向け単価、商品コード、数量、顧客先名を含む顧客からの注文データを、元販売者サーバーに送信することを促す注文登録画面を送信する、注文登録画面送信手段とを含むので、顧客は注文データを登録画面に入力することにより、元販売者に、商品の注文をすることができる。
請求項６の発明によれば、元販売者サーバーは、顧客向け納品書に、販売者の住所、名称、氏名等の販売者を特定する情報、顧客発注番号（No.）、発注番号（No.）、代行納品書番号（No.）を表示する納品書特定情報表示手段を含むので、代行発行納品書に、納品書特定情報を表示し、代行発行納品書とともに商品を納品先に配送することができる。
請求項７の発明によれば、記憶手段に格納された自らの納品書データを元販売者サーバーに通信回線を介して送信する納品書発行手段と、自らの名の下に納品書を発行し且つ納品先へ配送することを、元販売者サーバーに依頼する納品書発行依頼手段とを備える、販売者サーバーを含むので、販売者の希望する代行発行納品書を、元販売者において代行発行することを容易に行うことができる。
請求項８の発明によれば、顧客向け単価、商品コード、数量、顧客先名を含む顧客からの注文データを、元販売者サーバーに送信する、顧客からの注文データ送信手段を備える販売者サーバーを含むので、顧客から受けた注文に基づいて、直ちに元販売者に代行発行納品書の発行の依頼をすることができる。
請求項１０の発明によれば、商品情報記憶ステップは、販売者コード、顧客コード、商品コード、在庫数量、販売者向け単価、顧客向け単価に関する情報を記憶するので、代行発行納品書フォーマットに、顧客及び販売者からの要求に基づいて、商品に関する情報を当て嵌めて、代行発行納品書を発行することができる。
請求項１１の発明によれば、納品書代行発行ステップは、前記販売者の顧客向け単価、販売数量を表した納品書を発行するので、代行発行納品書フォーマットに、顧客および販売者からの要求に基づいて、商品に関する情報を当て嵌めて、代行発行納品書を発行することができる。
請求項１２の発明によれば、前記元販売者サーバーは、前記顧客に対し、顧客向け単価、商品コード、数量、顧客先名を含む顧客からの注文データを、元販売者サーバーに送信することを促す注文登録画面を送信する、注文登録画面送信ステップとを含むので、顧客は注文データを登録画面に入力することにより、元販売者に、商品の注文をすることができる。
請求項１３の発明によれば、元販売者サーバーは、顧客向け納品書に、販売者の住所、名称、氏名等の販売者を特定する情報、顧客発注番号（No.）、発注番号（No.）、代行納品書番号（No.）を表示する納品書特定情報表示ステップを含むので、代行発行納品書に、納品書特定情報を表示し、代行発行納品書とともに商品を納品先に配送することができる。
請求項１４の発明によれば、記憶手段に格納された自らの納品書データを元販売者サーバーに通信回線を介して送信する納品書発行ステップと、自らの名の下に納品書を発行し且つ納品先へ配送することを、元販売者サーバーに依頼する納品書発行依頼ステップとを備える、販売者サーバーを含むので、販売者の希望する代行発行納品書を、元販売者において代行発行することを容易に行うことができる。
請求項１５の発明によれば、顧客向け単価、商品コード、数量、顧客先名を含む顧客からの注文データを、元販売者サーバーに送信する、顧客からの注文データ送信ステップを備える販売者サーバーを含むので、顧客から受けた注文に基づいて、直ちに元販売者に代行発行納品書の発行の依頼をすることができる。
請求項１６の発明によれば、代行発行納品書は、販売者を特定する文字又は図形が記入されるので、代行発行納品書を注文商品とともに受け取った顧客等は、商品と納品書とを同時に検収し、注文した内容と対照することができる。
請求項１７の発明よれば、代行発行納品書は、代行発行納品書番号、顧客発注番号、発注番号のうち少なくとも１つが記入されるので、注文をした顧客において、代行発行納品書を注文商品とともに受け取った顧客等は、商品と納品書とを同時に検収し、注文した内容と対照することができるとともに、注文された商品の発送および代行発行納品書の発送を、注文を受けた販売者において確認することができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１及び図２は、本発明にかかるネットワークを利用した納品書発行代行システム１０を示す図解図である。
納品書発行代行システム１０は、大略、顧客クライアント１２と、販売者サーバー１４と、元販売者サーバー１６と、送り主サーバー１８およびネットワーク１００から構成されている。
【００１０】
（１）顧客とは、商品使用者（ユーザー）、消費財の商品消費者（カスタマー）そのもの、若しくはその所属する企業等を云う。商品販売者（代理商、小売商等をいう）から購入し、代金支払義務を負う。
（２）販売者とは、商品を売りさばく者をいい、代理商と小売商とを含む。
（２）−１小売商とは、顧客に商品を供給する役割を負う、小売を行う業者、企業等をいう。顧客からの要求により、商品をすばやく供給するため適量を予め購入保管（在庫）し、適時提供できるように在庫を持つこともある。顧客向け価格は、上代[小売価格]となる。元販売者・代理店からの仕入価格は下代[卸価格]となる。元販売者・代理店から商品を仕入れ顧客へ提供することで、上代、下代の価格差となる利益を得る。顧客の複数社購買の対象として、牽制を受ける。多種の供給業者扱い品を纏めて受注することもある。
（２）−２代理商とは、製造業者や卸売商など特定の売りのために、取引の代理または媒介をする商人であり、元販売者の政策上の販売拠点として認定を受けた企業等であって、地域・商品分類・特定販社等より区分される。元販売者に代わって販売を行うために代理店とも呼ばれる。小売店からの要求を仲介し、適時提供のために商品在庫を持つこともある。複数の小売商への供給業者となるため、取扱高、事務手続量が多くなる。
（３）元販売者とは、国内製造メーカー、海外製造メーカーの製品販売契約を持ち、製品供給の源となる企業を云う。例えば、取扱品のカタログを元に提供ルートをもち、供給先の各階層等からの要求（発注）に応じて指定納品先に商品の供給を行う。
発注者と納品先から、仲介する販売者（代理店、小売店）のルートを確定し、仲介する企業等の価格入り納品書を代行発行する機能を備える。
【００１１】
元販売者は、通常、代理商（店）と代理店契約を締結し、代理商（店）は、通常、小売商（店）と取引の契約を締結しており、かかる契約によって商売上の手続きの流れとなる販売ルート、すなわち商品の販売に携わる者、商品の販売に関する要求情報の流れ及び要求された代行発行納品書の流れが定まる。
顧客は、通常、小売店と取引をする顧客になり、顧客からの商品の注文を受ける小売店及びその小売店を統轄する代理店と元販売者との間の販売ルートが、定まる。
しかしながら、顧客は、同一顧客でありながら、直接的に、元販売者と取引をする代理店の顧客となる場合、又は元販売者の管理下の顧客となる場合があり、その場合別の販売ルートが定まることとなる。
また、発注時に商品の納品先を指定することにより、商品の配送等の商品の流れのルート、すなわち物流ルートが定まる。
【００１２】
顧客は、通常、元販売者、代理店及び小売店から配布されたカタログ、インターネット等を通じて、商品並びに元販売者、代理店及び小売店を知って商品の発注をすることとなる。
商品を購入する顧客は、種々の形態があり、集中購買をする者と、分散購買をする者と、集中購買を中心としつつ分散購買もする者といったような形態がある。
ここに、集中購買とは、例えば企業内の購買部が各部署からの要望に基づいて購入するとき、集中購買をする者には、納品の受け口があるときがある。イントラネットで、分散購買顧客クライアントと接続することが多い。
ここに、分散購買とは、各部署が各々必要なときに、必要な商品を購入すること。
ここに、納品の受け口とは、届けられた商品の受け取る場又は部署であり、そこには、発注場所／担当者に振り分ける専門業者が入っていて、そこから納品先毎に届けることが有る。
【００１３】
顧客クライアント１２には、集中購買をする者の下にある集中購買顧客クライアント１２と、分散購買をする者の下にある分散購買顧客クライアント１２ａ、１２ｂとがある。
顧客クライアント１２は、インターネットなどのネットワーク１００を介して販売者サーバー１４及び元販売者サーバー１６と接続し、販売者サーバー１４及び元販売者サーバー１６に登録された商品の内容を閲覧し、商品の購入申込み及び購入申込み時に入力する顧客の氏名，法人の名称、住所、顧客発注番号（No.）や支払い方法等の購入申込みデータを入力する機能を有する。
また、顧客クライアント１２は、任意のメールサーバー（図示せず）とＳＭＴＰプロトコルおよびＰＯＰ３プロトコルに基づいて電子メールの送受信を行う機能を有する。
なお、顧客クライアント１２としては、インターネットなどのネットワーク１００に接続可能な通信機器を有し、ＷＷＷブラウザアプリケーションおよびメールクライアントアプリケーションがインストールされたワークステーションやパーソナルコンピュータやインターネット接続機能を有する携帯電話が使用される。
【００１４】
顧客クライアント１２は、商品の購入を希望する顧客のもとにあり、インターネットなどのネットワーク１００を介して元販売者サーバー１６と接続し、元販売者サーバー１６に登録された商品の内容を閲覧し、商品の購入申込みを販売者サーバー１４又は元販売者サーバー１６にするとともに購入申込み時に入力する購入者の氏名，住所や支払い方法等の購入申込みデータを入力する機能を有する。
【００１５】
この納品書発行代行システム１０の顧客、すなわち商品の注文者となる顧客の登録は、顧客クライアント１２に対し、販売者サーバー１４の顧客管理部３６によりＷＷＷサーバー２０２によって送信される図７に示すような顧客登録画面、又は、元販売者サーバー１６の顧客管理部２１６によりＷＷＷサーバー２０２によって送信される顧客登録画面をもって入力し登録する。あるいは、顧客の登録は、元販売者サーバー１６の顧客管理部２１６によりＷＷＷサーバー２０２によって送信される顧客登録画面をもって、販売者サーバー１４の顧客管理部３６により入力し登録する。
顧客登録画面においては、入力項目として、氏名・名称、氏名・名称のフリガナ、顧客コード（ログインコード）、パスワード、性別、生年月日、電話番号、ファックス番号、住所、顧客メールアドレスを入力し、法人のプロフィール（表１に示すような、業種、業態、規模等）を入力する。
顧客は、通常、顧客コード（ログインコード）及びパスワードを元販売者サーバー１６より通信回線を介して送信される。そして、以後の取引においては顧客は、取り決められた顧客コード（ログインコード）及びパスワードにより正当な顧客であることの確認がなされることとなる。
これらにより入力された情報は、販売者サーバー１４の顧客データベース部５６に記録され、顧客管理部３６によって管理されている。又、これらにより入力された情報は、元販売者サーバー１６の顧客データベース部３１６に記録され、顧客管理部２１６によって管理されている。
【表１】
2009015481.tif 000003
【００１６】
更に、顧客は、通常、小売店と取引をする顧客になり、顧客からの商品の注文を受ける小売店及びその小売店を統轄する代理店と元販売者との間の販売ルートが、定まる。
しかしながら、顧客は、同一顧客でありながら、直接的に、元販売者と取引をする代理店の顧客となる場合、又は元販売者の管理下の顧客となる場合があり、その場合別の販売ルートが定まることとなる。
そこで、販売者すなわち代理商（店）の名称・住所・コード又は小売商（店）の名称・住所・コードが元販売者サーバー１６より通信回線を介して顧客に知らされる。
または、元販売者、代理店及び小売店から配布されたカタログ、インターネット等を通じて、商品並びに元販売者、代理店及び小売店を知って商品の発注をすることとなる場合にも、代理商（店）の名称・住所・コード又は小売商（店）の名称・住所・コードが、元販売者サーバー１６より通信回線を介して顧客に知らされる。但し、カタログ等で顧客が代理商（店）又は小売商（店）の名称・住所を知っており、それを顧客登録において顧客登録画面に入力されたときは、元販売者サーバー１６より販売者コードが、顧客クライアント１２に送信されて知らされる。
【００１７】
販売者サーバー１４は、元販売者のために継続的にその営業の部類に属する取引の媒介をする代理店と称される代理商等が、インターネットなどのネットワーク１００を介して、顧客クライアント１２、元販売者サーバー１６および送り主サーバー１８と各種のデータをやり取りすることにより、商品の販売の管理を行う機能を有する。
販売者サーバー１４は、図２に示すように代理店のみに備えられる場合と、図２３に示すように、代理店に備えられる代理店サーバー１４ａと代理店の下にある小売店に備えられる小売店サーバー１４ｂとを含むというように、複数層に備えられる場合がある。
図３は、販売者サーバー１４を示す機能ブロック図である。
販売者サーバー１４は、データベースサーバー２０、ＷＷＷサーバー機能部２２および電子メール送受信部２４を備える。
そして、データベースサーバー２０は、納品書発行代行システム１０を管理するための運用管理部３０と、商品管理部３２と、元販売者情報管理部３４と、顧客管理部３６と、注文管理部３８と、納品書発行管理部４０と、メール管理部４２と、在庫状況管理部４４と、売り上げ管理部４６と、購入管理部４８とを備える。
また、販売者サーバー１４は、各種情報を管理するためのデータベース、例えば、商品データベース部５０、元販売者データベース部５２、受注情報データベース部５４、顧客データベース部５６、メールデータデータベース部５８、代行発行納品書フォーマットデータベース部６０、決済情報データベース部６２および売り上げ情報データベース部６４を有し、データベースサーバー２０によって記録し管理している。
【００１８】
運用管理部３０は、販売者サーバー１４等を備えてサービスを提供する納品書発行代行システム運営者における納品書発行代行システムの運用管理者に付与するＩＤ、権限種別、パスワードを登録、変更、削除する機能を有し、ＩＤをデータベースサーバー２０にて記録手段に記録し管理する。
なお、運用管理者は、付与された運用管理者ＩＤとパスワードとを入力し、ログインボタンを押すことにより販売者サーバ１４に、権限種別に応じた管理者権限でログインすることができるように構成されている。
【００１９】
商品管理部３２は、元販売者および商品等の分類管理をする機能を有する。
そして、商品管理部３２において、図８に示すように、大分類、小分類の登録、削除、変更を行う機能を有する。
例えば、元販売者および商品の大分類として、「空調機・冷凍機用具」「計測器・測定器・検知器」といった分類分けをするとともに、その大分類に属する小分類、例えば、大分類「空調機・冷凍機用具」に対しては、元販売者たる「ＡＢＣ社」の「ミニチューブカッター」「ベンダー」といった小分類に分類分けするとともに、各商品の単価が数段階のランクにランク分けされ、各商品及び各商品の販売者である元販売者をコード化して商品データベース部５０および元販売者データベース部５２において記録し管理する。
また、ランク分けされた商品の各ランク毎の単価又は各ランク毎の単価に対する掛け率も記録し、管理する。
なお、掛け率は、商品群で決定されることもあり、又、商品毎に決定されることもある。
この商品管理部３２は、元販売者および商品等の検索機能を有する。
【００２０】
元販売者情報管理部３４は、元販売者に関する情報の管理および販売する商品の情報の管理をする機能を有する。
元販売者に関する情報の管理としては、例えば、元販売者名、元販売者コード、パスワード、元販売者分類、電話番号、ファックス番号、所在地、代表者名、担当部署名、担当者名、担当者メールアドレス、ＵＲＬ、検索用キーワード、元販売者を紹介する紹介文、問い合わせ先メールアドレス、営業休業設定等の項目を、登録、変更、削除することにより管理する機能を有し、これらの情報は、元販売者データベース部５２において記録し管理される。
さらに、元販売者情報管理部３４は、販売する商品の情報の管理として、商品コード、商品名、フリガナ、商品分類、検索のためのキーワード、商品の説明文、仕様／内容説明、単価、送料が、商品情報として管理される。
そして、元販売者情報管理部３４は、店舗および商品に関するデータを検索する機能を有する。
【００２１】
顧客管理部３６は、注文者たる顧客の情報の管理、例えば、氏名、名称、フリガナ、略称、顧客コード（ログインコード）（販売者コード及び枝番を含む）、パスワード、顧客ランク、法人としてのプロフィール（業種、業態、規模等）、電話番号、ファックス番号、郵便番号、住所、メールアドレス、ＵＲＬ等の項目の登録、変更、削除をして管理する機能を有し、顧客データベース部５６において記録し管理する。
顧客データベース部５６のデータは、購入者により顧客クライアント１２によってＷＷＷサーバー機能部２２により提供された顧客登録情報のための画面（インターフェース）から入力されたデータが記録されたり、変更されたりすることにより記録される。
顧客との間において契約があれば、それに基づいてデータが記録されたり、変更されたりすることにより記録される。
ここに顧客ランクとは、販売者によって決定された顧客の順位・格付けであり、このランクに基づいて顧客が購入できる商品の単価が決定されたり、掛け率が決定される。
この顧客データベース部５６は、顧客に関するデータを検索する機能を有する。
【００２２】
注文管理部３８は、注文者たる顧客より発注された商品の注文管理をする機能を有する。
注文管理部３８は、顧客より発注された商品の情報の管理、例えば、注文ナンバー（発注番号（No.）及び顧客発注番号（No.）を含む）、注文年月日、元販売者コード、顧客コード（ログインコード）、購入者氏名、購入金額等を登録し、また、登録された情報を検索、表示する機能を有し、受注情報データベース部５４において記録し管理する。
発注番号とは、顧客クライアント１２によりＷＥＢ発注入力を行った処理単位毎に又は元販売者サーバー１６によりシステム上で、発番される番号であり、販売者が顧客より発注された商品に関する情報の確認をするための確認番号である。この実施の形態においては、発注番号は、元販売者にとっての受注番号であり、システム上１つのユニークな番号とする。発注番号と同義の受注番号は、タイムバケット概念により分類管理する。タイムバケットは、その日の出荷可能なものを区別するために（例えば、Ｐ．Ｍ．５：００迄）、時間帯毎に及び／又は物流センター又は製造者（メーカー）毎に、商品の属性として分類している。
顧客発注番号とは、顧客・顧客クライアント単位で、顧客クライアント１２により任意に付加された発注を識別する番号であり、顧客が発注した商品の確認をするための番号である。
取引情報としては、例えば、次のような情報を有する。
・注文情報（発注番号（No.）（顧客発注番号（No.）を含む）、注文日、元販売者コード、元販売者名、合計金額）
・注文者情報（依頼主コード、顧客コード（ログインコード）、顧客氏名・名称、氏名・名称フリガナ、郵便番号、住所、メールアドレス、電話番号、ファックス番号）
・注文商品情報（商品コード、商品名、個数、顧客ランクに基づく単価又は掛け率、送料、販売価格（商品に対する要望）
・代行発行納品書情報（代行発行納品書フォーマット番号（No.）、元販売者コード）    販売価格は、商品毎に[（単価）×個数]で計算され、表示される。
合計金額は、一つの代行発行納品書毎の販売価格の合計である。
この注文管理部３８は、注文に関するデータを検索する機能を有する。
【００２３】
納品書発行管理部４０は、顧客が特定した納品書のフォーマットおよび販売者が特定した納品書のフォーマットに関するデータが、顧客及び／又は納品先毎に唯一の代行発行納品書フォーマット番号（No.）が採番され、コード化されて、代行発行納品書フォーマットデータベース部６０により記録され、管理するように機能する。
納品書発行管理部４０は、顧客コード（ログインコード）に基づいて、代行発行納品書フォーマットデータベース部６０より、代行発行納品書フォーマット番号に基づき代行発行納品書のフォーマットを抽出し、顧客コード（ログインコード）及び／又は納品先ＩＤに対応し且つ元販売者コードに対応して顧客の氏名、名称、住所、電話番号等の顧客及び／又は元販売者を判定する情報を抽出し、且つ、商品コード、数量、顧客向け情報を抽出して、顧客に対応した代行発行納品書フォーマットに当て嵌める機能を有する。
【００２４】
メール管理部４２は、例えば、電子メールの発送先・電子メールの内容の決定、電子メール発送先顧客の検索、電子メール発送作業の完了、顧客向け電子メール内容作成等の顧客、元販売者向けメールの管理を行う機能を有し、メールデータデータベース部５８において、メールに関する情報を記録し管理する。
このメール管理部４２は、メールに関するデータを検索する機能を有する。
メールの発送先の検索は、例えば、性別、生年月日、住所等の項目のうち、入力された項目によって検索することができるように構成されている。
そして、このメール管理部４２によって導き出された顧客向けメールは、電子メール送受信部２４によって顧客に送信されることになる。
【００２５】
在庫状況管理部４４は、元販売者の下において保管している商品を管理するために、元販売者サーバー１６において開示されている情報を閲覧することができる機能を備える。
在庫状況管理部４４は、元販売者コード、商品コード、仕入先名、仕入年月日、数量、出荷日等の情報により管理する。
【００２６】
売り上げ管理部４６は、商品を顧客に配送して、元販売者サーバ１６から送信された代行発行納品書の控に基づいて入力されたとき、売り上げ計上し、顧客毎に管理する。
売り上げ管理部４６は、掛売りしたときの未収代金を売り掛け計上する機能を備えてもよく、受注情報データベース部５４の納品データと決済情報データベース部６２の決済データとを比較し、掛売り代金を回収した時に処理をする。
この売り上げ管理部４６は、売り上げ代金及び売り掛け金に関するデータを検索する機能を有する。
【００２７】
購入管理部４８は、注文管理部３８によって管理されている受注情報データベース部５４の情報を受け取り、各顧客の注文番号、注文年月日、購入販売者名、合計金額、注文状況、注文された商品に関する情報（商品名、商品コード、個数、単価、送料、販売価格）を、売り上げ情報データベース部６４に記録し管理する。
この購入管理部４８は、各顧客の商品購入に関するデータを検索する機能を有する。
【００２８】
ＷＷＷサーバー機能部２２は、ＨＴＴＰプロトコルに基づいて顧客クライアント１２および元販売者サーバー１６に各種のデータを配信する機能を有する。
なお、具体的に配信されるデータとしては、後に詳述する商品データベース部５０に記録された販売商品に関する内容を表示するデータを表示するデータ、購入申込みデータを入力する画面を表示するデータや顧客クライアント１２および元販売者サーバー１６により入力されたデータを確認する表示を行うデータなどのデータの閲覧および入力のために用いられる様々な画面のデータが送信される。
【００２９】
電子メール送受信部２４は、ＳＭＴＰプロトコルおよびＰＯＰ３プロトコルに基づいて電子メールの送受信を行う機能を有する。なお、具体的に送信または受信される電子メールとしては、商品の購入申込みが行われたときに行う、発注のための電子メールなどが送信される。
【００３０】
商品データベース部５０は、販売者サーバー１４において販売される商品の商品内容のデータが記憶されている。
なお、商品データベース部５０は、ＷＷＷサーバー機能部２０により提供される商品データ登録インターフェイスを介して、元販売者サーバー１６から受信した元販売者の情報データが適宜登録されている。
例えば、元販売者および商品の大分類として、「空調機・冷凍機用具」「計測器・測定器・検知器」といった分類分けをするとともに、その大分類に属する小分類、例えば、大分類「空調機・冷凍機用具」に対しては、元販売者たる「ＡＢＣ社」の「ミニチューブカッター」「ベンダー」といった小分類に分類分けするとともに、各商品の単価が数段階のランクにランク分け（図８図示、Ａランク、ＢランクＣランク等の格付け）され、各商品及び各商品の販売者である元販売者をコード化して商品データベース部５０および元販売者データベース部５２において記録し管理する。
具体的には、販売商品については、商品コード、各商品の提供者たる元販売者コード、商品名、フリガナ、検索のためのキーワード、商品の説明文、仕様／内容説明、単価、顧客ランクに基づく顧客向け単価に対する掛け率、送料等のデータが記録し管理される。
なお、掛け率は、商品群で決定されることもあり、又、商品毎に決定されることもある。
【００３１】
元販売者データベース部５２は、元販売者として登録している元販売者の氏名または名称、住所、元販売者コード、ホームページのＵＲＬ、電子メールアドレス連絡先などの各々の商品販売者特有の情報をデータとして記憶されているが、元販売者情報管理部３４によって記録され管理されている。
元販売者データベース部５２のデータは、元販売者よりＷＷＷサーバー２０２により商品販売者サーバー１４に提供された元販売者登録情報のための画面から入力されたデータが記憶されたり、販売者サーバー１４の管理者により入力される。
元販売者情報としては、元販売者名、フリガナ、元販売者コード、パスワード、電話番号、ファックス番号、所在地、代表者名、担当部署名、担当者名、担当者メールアドレス、ＵＲＬ、検索用キーワード、元販売者を紹介する紹介文、問い合わせ先メールアドレス、営業休業設定がある。
【００３２】
受注情報データベース部５４は、ＷＷＷサーバー機能部２２により提供された顧客クライアント１２からの発注データを入力する画面（インターフェイス）から入力された発注データが記憶されている。
受注情報データベース部５４に記憶されている発注データは、元販売者が使用する元販売者サーバー１６により内容が閲覧され、商品販売者が注文内容を確認するために用いられる。
具体的には、取引情報としては、例えば、次のような情報を有する。
・注文情報（発注番号（No.）（顧客発注番号（No.）を含む）、注文日、元販売者コード、元販売者名・合計金額）
・注文者情報（依頼主コード、顧客コード（ログインコード）、顧客氏名・名称、氏名・名称フリガナ、郵便番号、住所、メールアドレス、電話番号、ファックス番号）
・注文商品情報（商品コード、商品名、個数、顧客ランクに基づく単価又は掛け率、送料、販売価格、商品に対する要望）
・代行発行納品書情報（代行発行納品書フォーマット番号（No.）、元販売者コード）等のデータが記録し管理される。
【００３３】
顧客データベース部５６は、販売者サーバー１４に顧客として登録している、注文者や商品販売者の氏名または名称、住所、顧客コード（ログインコード）、ホームページのＵＲＬ、電子メールアドレス連絡先などの各々の顧客特有の情報を、データとして記憶している。
顧客データベース部５６のデータは、購入者や商品販売者がＷＷＷサーバー機能部２２により提供された顧客登録情報のための画面から入力されたデータが記憶されたり、販売者サーバー１４の管理者により入力される。
具体的には、氏名、名称、フリガナ、顧客コード（ログインコード）（顧客コード及び枝番を含む）、パスワード、顧客ランク、法人としてのプロフィール（業種、業態、規模等）、電話番号、ファックス番号、住所、顧客メールアドレス、ホームページＵＲＬ等のデータが記録し管理される。
【００３４】
メールデータデータベース部５８は、メール管理部４２によって管理されているメールに関するデータ、例えば、メールの発送先・メールの内容の決定、メール発送先顧客の検索、メール発送作業の完了、顧客向けメール内容作成を記録しているが、メール管理部４２により記録され管理されている。
【００３５】
代行発行納品書フォーマットデータベース部６０は、顧客が特定した納品書のフォーマットおよび販売者が特定した納品書のフォーマットに関するデータが、顧客及び／又は納品先毎に唯一の代行発行納品書フォーマット番号（No.）が採番され、コード化されて、納品書発行管理部４０により記録され、管理されている。
納品書のフォーマットは、販売者欄、顧客（納品先）欄、日付（年月日）欄、商品コード欄、商品名欄、数量欄、単価欄、販売価格（顧客向け価格）欄、合計金額欄等を備え、顧客コード（ログインコード）（顧客コード及び枝番を含む）、販売者コード、代行発行納品書フォーマット番号をキーとするＰＤＦファイルとして記録する。
【００３６】
決済情報データベース部６２は、決済システム８００、例えば支払処理機関サーバー８１０より受信した商品の販売により生じた注文者の支払い処理に関するデータを記憶されているが、購入管理部２３０によって記録され管理されている。
記憶されているデータを具体的に説明すると、購入者の支払い処理状況を示すデータ（注文者氏名、顧客コード（ログインコード）、注文ナンバー、注文日時、支払日、決済の有無等）が記憶されている。なお、商品販売者が支払い状況の確認する場合には、予め各顧客に付与された顧客コードおよびパスワードを用いて顧客の認証を行い、認証された顧客と関係のないデータは閲覧されないように構成されている。
なお、購入者の支払い処理状況を示すデータは、決済システム８００から、例えば、支払処理機関サーバー８１０からのデータを受信して、記録し管理されるようにしてもよい。
【００３７】
決済情報データベース部６２は、商品の販売により生じた注文者の支払い処理に関するデータを記憶している。記憶されているデータを具体的に説明すると、注文者の支払い処理状況を示すデータが記憶されており、商品販売者が使用する販売者サーバー１４により内容が閲覧することができ、商品販売者が支払い状況の確認するために用いられる。
【００３８】
売り上げ情報データベース部６４は、発注をした各顧客の顧客発注番号、注文年月日、元販売者名、合計金額、注文状況、注文された商品に関する情報（商品名、商品コード、個数、単価、送料、販売価格）を、売り上げ管理部４６によって管理されている。
【００３９】
元販売者サーバー１６は、インターネットなどのネットワーク１００を介して、顧客クライアント１２，販売者サーバー１４、送り主サーバー１８と各種のデータをやり取りすることで商品の販売および管理を行う機能を有する。
図５は、元販売者サーバー１６を示す機能ブロック図であり、図６は、データベースサーバー２００の機能を示す機能ブロック図である。
元販売者サーバー１６は、データベースサーバー２００、ＷＷＷサーバー２０２および電子メール送受信部２０４を備える。
そして、データベースサーバー２００は、納品書発行代行システム１０を管理するための運用管理部２１０と、商品管理部２１２と、販売者情報管理部２１４と、顧客管理部２１６と、送り主管理部２１８と、注文管理部２２０と、納品書発行管理部２２２と、メール管理部２２４と、在庫状況管理部２２６と、売り上げ管理部２２８と、購入管理部２３０と、販売ルート管理部２３４とを備える。
【００４０】
また、元販売者サーバー１６は、各種情報を管理するためのデータベース、例えば、運用管理データベース部３１０、商品データベース部３１２、商品販売者データベース部３１４、顧客データベース部３１６、送り主データベース部３１８、注文データベース部３２０、代行発行納品書フォーマットデータベース部３２２、メールデータデータベース部３２４、在庫状況データベース部３２６、売り上げ情報データベース部３２８、購入データベース部３３０、決済情報データベース部３３２および販売ルートデータベース部３３４を有し、データベースサーバー２００によって記録され管理されている。
【００４１】
運用管理部２１０は、元販売者サーバー１６等を備えてサービスを提供する納品書発行システム運営者における納品書発行システムの運用管理者に付与するＩＤ、権限種別、パスワードを登録、変更、削除する機能を有し、運用管理者ＩＤ等を運用管理データベース部３１０に記録し管理する。
なお、運用管理者は、付与された運用管理者ＩＤとパスワードとを入力し、ログインボタンを押すことにより元販売者サーバ１６に、権限種別に応じた管理者権限でログインすることができるように構成されている。
【００４２】
商品管理部２１２は、製造者および商品等の分類管理をする機能を有する。
そして、商品管理部２１２において、図９に示すように、大分類、小分類の登録、削除、変更を行う機能を有する。例えば、製造者および商品の大分類として、「空調機・冷凍機用具」「計測器・測定器・検知器」といった分類分けをするとともに、その大分類に属する小分類、例えば、大分類「空調機・冷凍機用具」に対しては、製造者たる「ＸＹＺ社」の「ミニチューブカッター」「ベンダー」といった小分類に分類分けするとともに、各商品の単価が数段階のランクにランク分けされ、各商品及び各商品の製造者をコード化して、商品データベース部３１２および商品販売者データベース部３１４において記録し管理する。
また、ランク分けされた商品の各ランク毎の単価又は各ランク毎の単価に対する掛け率も記録し、管理する。
なお、掛け率は、商品群で決定されることもあり、又、商品毎に決定されることもある。
この商品管理部２１２は、製造者および商品等の検索機能を有する。
【００４３】
販売者情報管理部２１４は、図１０に示すように、販売者に関する情報の管理および販売する商品の情報の管理をする機能を有する。販売者とは、商品を売りさばく者をいい、代理商と小売商とを含む。
販売者に関する情報の管理としては、例えば、販売者名、販売者コード、パスワード、販売者分類、電話番号、ファックス番号、所在地、代表者名、担当部署名、担当者名、担当者メールアドレス、ＵＲＬ、検索用キーワード、各販売者を紹介する紹介文、問い合わせ先メールアドレス、営業休業設定等の項目を、登録、変更、削除することにより管理する機能を有し、これらの情報は、商品販売者データベース部３１４において記録し管理される。
販売者コード・パスワードは、元販売者サーバー１６にログインするときのログインＩＤ・パスワードとなる。
さらに、販売者情報管理部２１４は、各販売者において販売する商品の情報の管理として、当該販売者が販売する商品コード及び商品名、フリガナ、商品分類、検索のためのキーワード、商品の説明文、仕様／内容説明、単価、送料が、商品情報として管理される。
そして、販売者情報管理部２１４は、各販売者および商品に関するデータを検索する機能を有する。
【００４４】
顧客管理部２１６は、図１０に示すように、顧客の情報の管理、例えば、氏名、フリガナ、略称、顧客コード（依頼主コードから算出された数値等により構成される）、当該顧客を管理する販売者コード、パスワード、顧客ランク、電話番号、ファックス番号、郵便番号、住所、メールアドレス、ＵＲＬ、納品先（納品先名称、住所、納品先代表者、納品先担当者、納品先ＩＤ等を含む）等の項目の登録、変更、削除をして管理する機能を有し、顧客データベース部３１６において記録し管理する。
顧客データベース部３１６のデータは、顧客クライアント１２によってＷＷＷサーバー２０２により提供された顧客登録情報のための画面（インターフェース）から入力されたデータが記録されたり、変更されたりすることにより記録される。
当該顧客を管理する販売者コードは、販売者により販売者サーバー１４によってＷＷＷサーバー２０２により提供された顧客登録情報のための画面（インターフェース）から入力されたデータが記録されたり、変更されたりすることにより記録される。
この顧客管理部２１６は、顧客に関するデータ及び当該顧客を管理する販売者を検索する機能を有する。
顧客情報としては、氏名・名称、フリガナ、顧客コード（依頼主コードから算出された数値等により構成され、販売者コードと対応させて、どの販売者の何れの顧客かを区分している）、当該顧客を管理する販売者コード、パスワード、電話番号、ファックス番号、住所、顧客メールアドレスがある。（図１０参照）
この実施の形態においては、顧客コードは、元販売者サーバーにログインするときの顧客ログインコードに対応する依頼主コードで構成され、顧客データベース部３１６において記録し、管理している。
【００４５】
送り主管理部２１８は、受注した商品を納品先に発送する者（送り主）、例えば元販売者の物流センターや元販売者に商品を納入した製造者の新規登録、登録済みの送り主情報の変更、削除をして、送り主の管理をし、送り主データベース部３１８において記録し管理する。
送り主情報としては、送り主名、フリガナ、送り主コード（ＩＤ）、パスワード、送り主分類、電話番号、ファックス番号、所在地、代表者名、担当部署名、担当者名、担当者メールアドレス、ＵＲＬ、元販売者に提供される製品及び製品の内容を示す案内文、問い合わせ先メールアドレス等の情報を含む。
この送り主管理部２１８は、受注した商品の納品先に発送した発送に関するデータを検索する機能を有する。
【００４６】
注文管理部２２０は、注文者たる顧客より発注された商品の注文管理をする機能を有する。
注文管理部２２０は、図２０に示すように、顧客より発注された商品の情報の管理、例えば、発注番号（No.）、管理番号（No.）及び顧客発注番号（No.）、注文年月日、販売者コード、顧客コード（ログインコード）、顧客の氏名・名称、購入金額、販売ルート番号、依頼主コード等を登録し、また、登録された情報を検索、表示する機能を有し、注文データベース部３２０において記録し管理する。
【００４７】
取引情報としては、例えば、図２０に示すように次のような情報を有する。
・注文情報（発注番号（No.）、管理番号（No.）及び顧客発注番号（No.）、注文日、販売者コード、販売者名、合計金額を含む）
・注文者情報（依頼主コード、顧客氏名・名称、氏名・名称のフリガナ、郵便番号、住所、メールアドレス、電話番号、ファックス番号）
・注文商品情報（商品コード、商品名、個数、顧客ランクに基づく単価、送料、販売価格、商品に対する要望）
・代行発行納品書情報（代行発行納品書フォーマット番号（No.）、販売者コード）
・出荷指示情報（納品先、納品先コード、出荷指示番号（No.）、出荷依頼番号（No.））  
発注番号とは、顧客クライアント１２によりＷＥＢ発注入力を行った処理単位毎に元販売者サーバー１６によりシステム上で、発番される番号であり、販売者が顧客より発注された商品に関する情報の確認をするための確認番号である。この実施の形態においては、発注番号は、元販売者にとっての受注番号であり、システム上１つのユニークな番号とする。発注番号と同義の受注番号は、タイムバケット概念により分類管理する。タイムバケットは、その日の出荷可能なものを区別するために（例えば、Ｐ．Ｍ．５：００迄）、時間帯毎に及び／又は物流センター又は製造者（メーカー）毎に、商品の属性として分類している。
顧客発注番号とは、顧客・顧客クライアント単位で、顧客クライアント１２により任意に付加された発注を識別する番号であり、顧客が発注した商品の確認をするための番号である。
依頼主コードとは、依頼主（発注者たる顧客）及び販売者を表す番号であり、販売者コードと枝番で構成される。
出荷指示番号とは、元販売者の物流センター等の送り主に対して同一納品先、発送日で纏めた集合に対して、出荷指図単位に自動採番された番号をいう。
出荷依頼番号とは、上記出荷指示番号とほぼ同格の扱いとなるものの、出荷を指示する先が外部企業である製造者等の送り主である場合に、出荷指示番号として採番される番号をいう。
代行発行納品書番号とは、出荷指示番号・出荷依頼番号に従って売上金額算出のための単価値入がされた出荷商品を伴った明細と一致する単位で印字の際に処理単位毎にユニークに採番される。代行発行納品書番号は、予め、販売者との間の約束事に従って採番されるが、販売者のオリジナル番号と重ならない番号とする。（例えば、番号の先頭が変わるかの、別の記号を付ける。）
管理番号とは、元販売者において伝票が発生したとき、元販売者サーバー１６により自動採番される番号であり、伝票等の取引関係及び帳票を管理する番号である。
注文に関する情報は、請求明細書・売上金元帳（売掛金管理簿）に記載され、管理番号により取引追跡のキーとなる。
販売価格は、商品毎に[（単価）×個数]で計算され、表示される。
合計金額は、一つの代行発行納品書毎の販売価格の合計である。
この注文管理部２２０は、注文に関するデータを検索する機能を有する。
【００４８】
納品書発行管理部２２２は、顧客が特定した代行発行納品書のフォーマットおよび販売者が特定した代行発行納品書のフォーマットに関するデータを、販売者毎に唯一の代行発行納品書フォーマット番号を採番し、コード化して、代行発行納品書フォーマットデータベース部３２２において記録し管理している。
納品書発行管理部２２２は、販売者コードに基づき、代行発行納品書フォーマットデータベース部３２２より、代行発行納品書フォーマット番号に基づき代行発行納品書フォーマットを抽出する。そして、注文データベース部３２０より顧客コード、納品先コードに対応して顧客の氏名、名称、住所、電話番号等の顧客及び／又は販売者を判定する情報を抽出し、且つ、注文データベース部３２０より注文商品に関する情報（商品コード、商品名、数量、単価、販売価格）、販売者向け情報（発注番号（No.）を含む）及び顧客向け情報（顧客発注番号（No.）を含む）を抽出して、代行発行納品書フォーマットに当て嵌める機能を有する。
【００４９】
メール管理部２２４は、例えば、電子メールの発送先・電子メールの内容の決定、電子メール発送先顧客の検索、電子メール発送作業の完了、顧客向け電子メール内容作成等の顧客、商品販売者および製造者向けメールの管理を行う機能を有し、メールデータデータベース部３２４において、メールに関する情報を記録し管理する。
このメール管理部２２４は、メールに関するデータを検索する機能を有する。
メールの発送先の検索は、例えば、性別、生年月日、住所等の項目のうち、入力された項目によって検索することができるように構成されている。
そして、このメール管理部２２４によって導き出された顧客向けメールは、電子メール送受信部２０４によって顧客に送信されることになる。
【００５０】
在庫状況管理部２２６は、元販売者の下において、保管している商品及び保管している場所を、商品コード、仕入先名、仕入年月日、数量、出荷日、保管場所名、保管場所コード等の情報により管理する。
これらの情報は、元販売者サーバー１６の在庫状況データベース部３２６、送り主データベース部３１８および売り上げ情報データベース部３２８において記録し、在庫状況管理部２２６により管理されている。
【００５１】
売り上げ管理部２２８は、注文データベース部３２０及び代行発行納品書フォーマットデータベース部３２２の情報を基にして、売り上げ情報を売り上げ情報データベース部３２８に記録し、管理する。更に、売り上げ管理部２２８は、商品を販売者の顧客に掛売りしたときの未収代金を売り掛け計上し売り上げ情報データベース部３２８に記録して、顧客、販売者毎に管理する。
売り掛け金は、代行発行納品書フォーマットデータベース部３２２と決済情報データベース部３３２とを比較し、掛売り代金を回収した時には、処理をする。
この売り上げ管理部２２８は、売り上げ及び売り掛け金に関するデータを検索する機能を有する。
【００５２】
購入管理部２３０は、注文管理部２２０によって管理されている注文データベース部３２０の情報を受け取り、各顧客の注文ナンバー、注文年月日、販売者名、合計金額、注文状況、注文された商品に関する情報（商品名、商品コード、個数、単価、送料、販売価格）を、購入データベース部３３０に記録し管理する。
この購入管理部２３０は、各顧客の商品購入に関するデータを検索する機能を有する。
【００５３】
販売ルート管理部２３４は、顧客及び／又は納品先に従って定まる、当該顧客と元販売者との間の販売ルートを管理する。
販売ルートとは、顧客及び／又は納品先を担当する販売店及びその販売店を担当する代理店と元販売者との間の「商品の販売に関する要求情報の流れ」及び「商品の納品に関する商品の流れ」のルートをいう。
【００５４】
元販売者は、通常、代理商（店）と代理店契約を締結し、代理商（店）は、通常、小売商（店）と取引の契約を締結しており、かかる契約によって、商品の販売に関する要求情報の流れ及び要求された代行発行納品書及び商品の流れのルート、すなわち販売ルートが定まる。
顧客は、通常、小売店と取引をする顧客になり、顧客からの商品の注文を受ける小売店及びその小売店を統轄する代理店と元販売者との間の販売ルートは、定まる。
しかしながら、顧客は、同一顧客でありながら、直接的に、元販売者と取引をする代理店の顧客となる場合、又は元販売者の管理下の顧客となる場合があり、その場合別の販売ルートが定まることとなる。
このようにして定まった販売ルートは、元販売者サーバー１６の販売ルート管理部２３４により番号を自動採番され、販売ルート番号により、商品の販売に関する要求情報の流れ及び要求された代行発行納品書及び商品の流れのルートの確認の容易化をしている。
【００５５】
ＷＷＷサーバー２０２は、ＨＴＴＰプロトコルに基づいて、顧客クライアント１２、販売者サーバー１４および製造者端末１８に、各種画面を生成し、フォーマット等各種のデータを配信する機能を有する。なお、具体的に配信されるデータとしては、後に詳述する商品データベース部３１２に記録された販売商品に関する内容を表示するデータを表示するデータ、購入申込みデータを入力する画面を表示するデータ、顧客クライアント１２、販売者サーバー１４および製造者端末１８により入力されたデータを確認する表示を行うデータなどのデータの閲覧および入力のために用いられる様々な画面およびそのデータが送信される。
【００５６】
電子メール送受信部２０４は、ＳＭＴＰプロトコルおよびＰＯＰ３プロトコルに基づいて電子メールの送受信を行う機能を有する。なお、具体的に送信または受信される電子メールとしては、商品販売者および寄付対象団体とサービス提供者との契約内容を知らせる電子メールや顧客に対する製造者の情報などが送信される。
【００５７】
次に、納品書発行代行システム１０の情報を記録するデータベースについて説明する。
商品データベース部３１２は、図９に示すように、元販売者サーバー１６において販売される商品の商品内容のデータが記憶されている。
商品データベース部３１２においては、商品コード、商品名、フリガナ、商品分類、検索のためのキーワード、商品の説明文、仕様／内容説明、単価、送料が記録されている。
なお、商品データベース部３１２は、適宜製造者により送り主サーバー１８によってネットワーク１００を介して提供される商品データが、送り主管理部２１８によって記録され管理されている。
例えば、製造者および商品の大分類として、「空調機・冷凍機用具」「計測器・測定器・検知器」といった分類分けをするとともに、その大分類に属する小分類、例えば、大分類「空調機・冷凍機用具」に対しては、製造者たる「ＸＹＺ社」の「ミニチューブカッター」「ベンダー」といった小分類に分類分けするとともに、各商品の単価が数段階のランクにランク分け（図９図示、Ａランク、Ｂランク、Ｃランク等の格付け）され、各商品及び各商品の製造者をコード化して、商品データベース部３１２において記録し管理される。
また、ランク分けされた商品の各ランク毎の単価又は各ランク毎の単価に対する掛け率も記録し、管理する。
なお、掛け率は、商品群で決定されることもあり、又、商品毎に決定されることもある。
商品データベース部３１２は、商品マスタ及び顧客別単価マスタ（表２及び表３に示す）を商品情報として記憶し管理する。
【表２】
2009015481.tif 000004
【表３】
2009015481.tif 000005
【００５８】
商品販売者データベース部３１４は、元販売者サーバー１６に商品販売者として登録している商品販売者の氏名または名称、住所、ホームページのＵＲＬ、電子メールアドレス連絡先などの各々の商品販売者特有の情報をデータとして記憶されているが、販売者情報管理部２１４によって記録され管理されている。
商品販売者データベース部３１４のデータは、商品販売者がＷＷＷサーバー２０２により商品販売者サーバー１４に提供された商品販売者登録情報のための画面から入力されたデータが記憶されたり、販売者サーバー１４の管理者により入力される。販売者とは、商品を売りさばく者をいい、代理商と小売商とを含む。
商品販売者情報としては、商品の販売者名、フリガナ、商品の販売者コード、パスワード、電話番号、ファックス番号、所在地、代表者名、担当部署名、担当者名、担当者メールアドレス、ＵＲＬ、検索用キーワード、商品の販売者を紹介する紹介文、問い合わせ先メールアドレス、営業休業設定がある。
商品販売者のＩＤ毎に、代行発行納品書フォーマットデータベース部３２２の代行発行納品書フォーマット、納品書への商品の値入れ単価が確定する。
【００５９】
顧客データベース部３１６は、販売者サーバー１４及び元販売者サーバー１６に顧客として販売者及び／又は元販売者の顧客として関連づけて登録している、例えば、氏名、フリガナ、略称、顧客コード（依頼主コードから算出された数値等により構成される。）、当該顧客を管理する販売者コード、パスワード、顧客ランク、電話番号、ファックス番号、郵便番号、住所、メールアドレス、ＵＲＬ、納品先（納品先名称、住所、納品先代表者、納品先担当者、納品先ＩＤ等を含む）等の各々の顧客特有の情報をデータとして記憶されているが、顧客管理部２１６によって記録され管理されている。
顧客データベース部３１６のデータは、購入者が顧客クライアント１２によってＷＷＷサーバー２０２により提供された顧客登録情報のための画面から入力されたデータが記憶されたり、販売者サーバー１４の管理者により入力される。
この実施の形態においては、顧客コードは、元販売者サーバー１６にログインするときの顧客ログインコードに対応する依頼主コードで構成され、顧客データベース３１６で管理している。
ここに顧客ランクとは、販売者及び／又は元販売者によって決定された顧客の順位・格付けであり、このランクに基づいて顧客が購入できる商品の単価が又は掛け率が決定される。
顧客向けの商品の単価は、通常、小売店が顧客毎にランクを定め、該ランクに対応する末端価格、又は製造者・元販売者等の生産者価格、代理店等の卸売価格に対する掛け率を定めている。
【００６０】
送り主データベース部３１８は、製造者に関する様々なデータが記憶されているが、送り主管理部２１８により記録され管理されている。記憶されているデータとしては、製造者の活動内容を説明したテキストデータや写真データ等の他、製造者がインターネットのホームページを有しているときには、そのＵＲＬ等も記憶されている。
製造者情報としては、製造者名、フリガナ、製造者コード（ＩＤ）、パスワード、製造者分類、電話番号、ファックス番号、所在地、代表者名、担当部署名、担当者名、担当者メールアドレス、ＵＲＬ、製造者案内文、問い合わせ先メールアドレスがある。
【００６１】
注文データベース部３２０は、顧客から注文された商品の情報、注文した顧客の氏名や住所等の注文者情報および支払方法等のデータが記録されているが、注文管理部２２０によって記録され管理されている。
この情報は、ＷＷＷサーバー２０２により提供された購入申込みデータを入力する画面（インターフェース）から入力された購入申込みデータが記憶されている。
注文データベース部３２０に記憶されている購入申込みデータは、商品販売者が使用する販売者サーバー１４により内容が閲覧され、商品販売者が注文内容を確認するために用いることができる。
取引情報としては、例えば、図２０に示すように次のような情報を有する。
・注文情報（発注番号（No.）、管理番号（No.）及び顧客発注番号（No.）、注文日、販売者コード、販売者名、合計金額を含む）
・注文者情報（依頼主コード、顧客氏名・名称、氏名・名称のフリガナ、郵便番号、住所、メールアドレス、電話番号、ファックス番号）
・注文商品情報（商品コード、商品名、個数、顧客ランクに基づく単価、送料、販売価格、商品に対する要望）
・代行発行納品書情報（代行発行納品書フォーマット番号（No.）、販売者コード）
・出荷指示情報（納品先、納品先コード、出荷指示番号（No.）、出荷依頼番号（No.））
発注番号とは、顧客クライアント１２によりＷＥＢ発注入力を行った処理単位毎に販売者サーバー１４又は元販売者サーバー１６によりシステム上で、発番される番号であり、販売者が顧客より発注された商品に関する情報の確認をするための確認番号である。この実施の形態においては、発注番号は、元販売者にとっての受注番号であり、システム上１つのユニークな番号とする。発注番号と同義の受注番号は、タイムパケット概念により分類管理する。タイムパケットは、その日の出荷可能なものを区別するために（例えば、Ｐ．Ｍ．５：００迄）、時間帯毎に及び／又は物流センター又は製造者（メーカー）毎に、商品の属性として分類している。
顧客発注番号とは、顧客・顧客クライアント単位で、顧客クライアント１２により任意に付加された発注を識別する番号であり、顧客が発注した商品の確認をするための番号である。
依頼主コードとは、依頼主（発注者たる顧客）及び販売者を表す番号であり、販売者コードと枝番で構成される。
出荷指示番号とは、元販売者の物流センター等の送り主に対して同一納品先、発送日で纏めた集合に対して、出荷指図単位に自動採番された番号をいう。
出荷依頼番号とは、上記出荷指示番号とほぼ同格の扱いとなるものの、出荷を指示する先が外部企業である製造者等の送り主である場合に、出荷指示番号として採番される番号をいう。
代行発行納品書番号とは、出荷指示番号・出荷依頼番号に従って売上金額算出のための単価値入がされた出荷商品を伴った明細と一致する単位で印字の際に処理単位毎にユニークに採番される。代行発行納品書番号は、予め、販売者との間の約束事に従って採番されるが、販売者のオリジナル番号と重ならない番号とする。（例えば、番号の先頭が変わるかの、別の記号を付ける。）
管理番号とは、元販売者において伝票が発生したとき、元販売者サーバー１６により自動採番される番号であり、伝票等の取引関係及び帳票を管理する番号である。
注文に関する情報は、請求明細書・売上金元帳（売掛金管理簿）に記載され、管理番号により取引追跡のキーとなる。
販売価格は、商品毎に[（単価）×個数]で計算され、表示される。
合計金額は、一つの代行発行納品書毎の販売価格の合計である。
この注文管理部２２０は、注文に関するデータを検索する機能を有する。
【００６２】
代行発行納品書フォーマットデータベース部３２２は、顧客が特定した代行発行納品書のフォーマットおよび販売者が特定した代行発行納品書のフォーマットに関するデータが、販売者毎に唯一の代行発行納品書フォーマット番号が採番され、コード化されて、納品書発行管理部２２２により記録され、管理されている。
代行発行納品書のフォーマットは、代行発行納品書フォーマット番号（・代行発行納品書フォーマット番号〔代理店から小売店への納品書〕、・代行発行納品書フォーマット番号〔小売店から納品先への納品書〕）、販売者欄、顧客（納品先）欄、日付（年月日）欄、商品コード欄、商品名欄、数量欄、単価欄、販売価格、（顧客向け価格）欄、合計金額欄等を備え、販売者コード、代行発行納品書フォーマット番号をキーとするＰＤＦファイルとして記録する。
【００６３】
メールデータデータベース部３２４は、メール管理部２２４によって管理されているメールに関するデータ、例えば、メールの発送先・メールの内容の決定、メール発送先顧客の検索、メール発送作業の完了、顧客向けメール内容作成を記録しているが、メール管理部２２４により記録され管理されている。
【００６４】
在庫状況データベース部３２６は、元販売者の下において、保管している商品及び保管している場所を、商品名、商品コード、仕入先名、仕入年月日、数量、出荷日、保管場所名、保管場所コード等の情報を記録し、管理されている。
【００６５】
売り上げ情報データベース部３２８は、売り上げ及び納品した商品の代金を売り掛け金として処理をするために、販売先の顧客名及び顧客コード（ログインコード）、販売者名及び販売者コード、各月の売り上げ及び売り掛け、未処理売り掛け金累計額等の情報を記録し、売り上げ管理部２２８により記録され管理されている。
【００６６】
購入データベース部３３０は、各顧客の顧客発注番号（Ｎｏ.）、注文年月日、販売者名、合計金額、注文状況、注文された商品に関する情報（商品名、商品コード、個数、単価、送料、販売価格）を、購入管理部２３０によって管理されている。
【００６７】
決済情報データベース部３３２は、決済システム８００、例えば支払処理機関サーバー８１０より受信した商品の販売により生じた購入者の支払い処理に関するデータを記憶されているが、購入管理部２３０によって記録され管理されている。
記憶されているデータを具体的に説明すると、購入者の支払い処理状況を示すデータ（購入者氏名、購入者ナンバー、注文ナンバー、購入日時、支払日、決済の有無等）が記憶されており、元販売者が使用する元販売者サーバー１６により内容が閲覧され元販売者が支払い状況の確認するために用いられる。なお、元販売者が支払い状況の確認する場合には、予め各商品販売者及び顧客に付与された顧客コードおよびパスワードを用いて商品販売者及び顧客の認証を行い、認証された商品販売者及び顧客と関係のないデータは閲覧されないように構成されている。
なお、購入者の支払い処理状況を示すデータは、決済システム８００から、例えば、支払処理機関サーバー８１０からのデータを受信して、記録し管理されるようにしてもよい。
【００６８】
販売ルートデータベース部３３４は、顧客及び／又は納品先に従って定まる、当該顧客と元販売者との間の販売ルートに関するデータを記録しているが、販売ルート管理部２３４により管理されている。
販売ルートとは、顧客及び／又は納品先を担当する販売店及びその販売店を担当する代理店と元販売者との間の「商品の販売に関する要求情報の流れ」及び「商品の納品に関する商品の流れ」のルートをいう。
販売ルートに関するデータは、例えば、次の通りである。
依頼主コード（代理店コード＋枝番＋Ｃ／Ｄ）「依頼主＆代理店」を表す。
納品先（☆顧客クライアント１２からの情報により記録）
販売ルート番号
小売店コード（※小売店の把握）
【００６９】
送り主サーバー１８は、任意のメールサーバー（図示せず）とＳＭＴＰプロトコルおよびＰＯＰ３プロトコルに基づいて電子メールの送受信を行う機能を有する。なお、送り主サーバー１８としては、インターネットなどのネットワーク１００に接続可能な通信機器を有し、ＷＷＷブラウザアプリケーションおよびメールクライアントアプリケーションがインストールされたワークステーションやパーソナルコンピュータが使用される。
送り主サーバー１８における登録は、次のようになされる。
例えば、製造者より、登録の問い合わせがあれば、元販売者のシステム運営者は、元販売者サーバー１６により送り主サーバー１８に登録申込書を送信し、製造者においては、受信した登録申込書に所定事項を入力し、元販売者サーバー１６に送信する。すると、元販売者の運営者は、加入の審査をして、可能であれば、製造者に契約書を送信して、製造者と契約を締結する。そして、元販売者サーバー１６において、契約をした製造者用のＩＤ・パスワードを登録し、送り主サーバー１８にそのＩＤ・パスワードを送信し、そのＩＤ・パスワードを元販売者サーバー１６の送り主管理部２１８によって記録し管理する。
【００７０】
商品の製造者端末たる送り主サーバー１８は、顧客クライアント１２と同様に、インターネット等のネットワーク１００を介して元販売者サーバー１６と接続し、元販売者サーバー１６に商品の製造者情報の新規登録、登録内容の変更をする機能を有する。
【００７１】
送り主サーバー１８は、インターネットなどのネットワーク１００を介して元販売者サーバー１６と接続し、元販売者サーバー１６よりコンピュータソフトウェアおよび／または認証画面、情報管理画面および注文管理画面が送信されることにより、データベースサーバ４００が、商品の製造者管理者の認証機能手段４０２、送り主情報管理手段４０４、出荷依頼管理手段４０６及び納品書発行管理手段４０８が提供される。
この実施の形態においては、この送り主サーバー１８が元販売者サーバー１６のＷＷＷサーバー２０２によって送られてくる画面に対応して入力をすることにより、認証画面により認証機能手段４０２として、情報管理画面により送り主情報管理手段４０４として、注文管理画面により出荷依頼管理手段４０６及び納品書発行管理手段４０８として、それぞれ各機能を果たすように構成されている。
製造者管理は、元販売者サーバー１６の送り主管理部２１８において管理されており、製造者管理者のＩＤとパスワードを入力し、ログインボタンを押すと、製造者管理者権限でログインすることができる。
製造者の情報管理として、送り主サーバー１８において新規登録する場合には、製造者名、フリガナ、製造者コード（ＩＤ）、パスワード、製造者分類、電話番号、ファックス番号、所在地、代表者名、担当部署名、担当者名、担当者メールアドレス、ＵＲＬ、製造者案内文、問い合わせ先メールアドレスの可否を入力することにより管理する。また、その変更を行い管理することができる。
製造者情報については、元販売者サーバー１６の送り主管理部２１８でのみ、登録、変更、削除をすることができるようにしてもよい。
これら製造者情報は、元販売者サーバー１６の送り主データベース部３１８において記録し、送り主管理部２１８において管理されている。
【００７２】
送り主管理手段４０４は、製造者の新規登録、登録済みの製造者情報の変更、削除をして、製造者の管理をし、送り主データベース部３１８において記録し管理する。
製造者情報としては、製造名、フリガナ、製造者コード（ＩＤ）、パスワード、製造者分類、電話番号、ファックス番号、所在地、代表者名、担当部署名、担当者名、担当者メールアドレス、ＵＲＬ、元販売者に提供される製品及び製品の内容を示す案内文、問い合わせ先メールアドレス等の情報を含む。
この送り主情報管理手段４０４は、製造者及び製造者より提供される製品に関するデータを検索する機能を有する。
【００７３】
出荷依頼管理手段４０６は、元販売者より出荷依頼された商品の注文管理をする機能を有する。
出荷依頼管理手段４０６は、元販売者より出荷依頼された商品の情報の管理、例えば、注文ナンバー、注文年月日、販売者コード、注文者たる顧客コード（ログインコード）、注文者氏名、購入金額等を登録し、また、登録された情報を検索、表示する機能を有し、出荷依頼データベース部４１６において記録し管理する。
取引情報としては、例えば、図２０に示すように次のような情報を有する。
・注文情報（発注番号（No.）、管理番号（No.）及び顧客発注番号（No.）、注文日、販売者コード、販売者名、合計金額を含む）
・注文者情報（依頼主コード、顧客コード、顧客氏名・名称、氏名・名称のフリガナ、郵便番号、住所、メールアドレス、電話番号、ファックス番号）
・注文商品情報（商品コード、商品名、個数、顧客ランクに基づく単価、送料、販売価格、商品に対する要望）
・代行発行納品書情報（代行発行納品書フォーマット番号（No.）、販売者コード）  ・出荷指示情報（納品先、納品先コード、出荷指示番号（No.）、出荷依頼番号（No.））
【００７４】
納品書発行管理手段４０８は、顧客に送付するために元販売者サーバー１６より送信された代行発行納品書を記録し管理する機能を有する。
もっとも、元販売者サーバー１６にアクセスし、販売者コードに基づき、代行発行納品書フォーマットデータベース部３２２より、代行発行納品書フォーマット番号に基づき代行発行納品書フォーマットを抽出する。そして、注文データベース部３２０より顧客コード（ログインコード）、納品先コードに対応して顧客の氏名、名称、住所、電話番号等の顧客及び／又は販売者を判定する情報を抽出し、且つ、注文データベース部３２０より注文情報（合計金額等）、注文商品に関する情報（商品コード、商品名、数量、単価、販売価格）、販売者向け情報（発注番号（No.）を含む）及び顧客向け情報（顧客発注番号（No.）を含む）を抽出して、代行発行納品書フォーマットに当て嵌める機能を有するように構成してもよい。
【００７５】
引き続き、本発明に係るネットワークを利用した商品購入に関する納品書発行代行システム１０の動作について、主として図１２、図１３及び図１６に基づいて説明する。
図１２は、元販売者で商品が調達できかつ顧客クライアントから注文を受けた販売者が元販売者に納品書の発行代行を要求する場合における、商品・サービス購入の流れ（その１）を示すフローチャート図である。図１３は、元販売者で商品が調達できかつ顧客クライアントが直接元販売者に注文し納品書を発行代行される場合における、商品・サービス購入の流れ（その２）を示すフローチャート図である。図１６（図１６Ａ、図１６Ｂ、図１６Ｃ）は、商品購入の流れを示すフローチャート図である。
【００７６】
まず、元販売者の納品書発行代行システム１０の運用管理者から、元販売者サーバー１６の商品管理部２１２および販売者情報管理部２１４により、ＷＷＷサーバー２０２によって送り主サーバー１８に送信された画面によって、商品登録が行われるか、または元販売者サーバー１６により元販売者によって商品登録が行われた後、すなわち、商品・サービス購入のための商品登録が行われた後、商品の購入がなされることになる。
【００７７】
商品登録は、商品管理部２１２において、製造者および商品等の分類管理をすることができるように、例えば、製造者および商品の大分類として、「空調機・冷凍機用具」「計測器・測定器・検知器」といった分類分けをするとともに、その大分類に属する小分類、例えば、大分類「空調機・冷凍機用具」に対しては、製造者たる「ＸＹＺ社」の「ミニチューブカッター」「ベンダー」といった小分類に分類分けするとともに、各商品の価格が数段階のランクにランク分けされ、各商品及び各商品の製造者をコード化して、商品データベース部３１２および商品販売者データベース部３１４に格納されて管理される（図９参照）。
この登録された商品は、製造者および商品等を、商品コード、製造者コード（ＩＤ）に基づいて検索される。
【００７８】
次に、顧客登録について説明する。
元販売者は、通常、代理商（店）と代理店契約を締結し、代理商（店）は、通常、小売商（店）と取引の契約を締結しており、かかる契約によって商売上の手続きの流れとなる販売ルート、すなわち商品の販売に携わる者、商品の販売に関する要求情報の流れ及び要求された代行発行納品書の流れが定まる。
顧客は、通常、小売店と取引をする顧客になり、顧客からの商品の注文を受ける小売店及びその小売店を統轄する代理店と元販売者との間の販売ルートが、定まる。
しかしながら、顧客は、同一顧客でありながら、直接的に、元販売者と取引をする代理店の顧客となる場合、又は元販売者の管理下の顧客となる場合があり、その場合別の販売ルートが定まることとなる。
また、発注時に商品の納品先を指定することにより、商品の配送等の商品の流れのルート、すなわち物流ルートが定まる。
【００７９】
販売ルートの１つの態様について説明すると、顧客クライアント１２に、元販売者サーバー１６の顧客管理部２１６によりＷＷＷサーバー２０２によってトップページ（図１４図示）が送信され、そのトップページにおいて、「発注入力」ボタンをクリックすることにより、商品・サービス購入を選択する（ステップＳ１０１）。
顧客登録については、このトップページにおける「顧客登録」ボタンをクリックすることにより、元販売者サーバー１６より送信された顧客登録画面（図７図示）に、必要事項を入力されて元販売者サーバー１６に返信されることにより、元販売者サーバー１６は、商品販売者データベース部３１４を検索して販売ルート等を確定し、元販売者サーバー１６の顧客管理部２１６により顧客登録がなされる。
このときに、通常当該顧客に対する販売ルート及びランク付け並びにランクに基づく販売単価又は掛け率が定まる。
このように、商品購入を納品書発行代行システムによって行うにあたり、顧客登録がなされていることが条件となる。
【００８０】
顧客登録は、顧客管理部２１６により、図１０に示すように、購入者たる顧客の情報の管理、例えば、氏名、フリガナ、ニックネーム、顧客コード（依頼主コードから算出された数値等により構成される）、当該顧客を管理する販売者コード、パスワード、販売ルート番号、顧客ランク、性別、生年月日、電話番号、ファックス番号、郵便番号、住所、メールアドレス、ＵＲＬ、納品先（納品先名称、住所、納品先代表者、納品先担当者、納品先ＩＤ等を含む）等の項目を、顧客データベース部３１６に格納し管理することにより行なわれる。
あるいは、顧客の登録は、元販売者サーバー１６の顧客管理部２１６によりＷＷＷサーバー２０２によって送信される顧客登録画面をもって、販売者サーバー１４の顧客管理部３６により入力し登録する。
顧客データベース部３１６の当該顧客を管理する販売者コードは、販売者サーバー１４によってＷＷＷサーバー２０２により提供された顧客登録情報のための画面（インターフェース）から入力されたデータが記録されたり、変更されたりすることにより記録される。
顧客管理部２１６により、顧客に関するデータ及び当該顧客を管理する販売者を検索することができる。
【００８１】
次に、納品書発行代行システムによって、商品を購入する場合について説明する。
まず、顧客クライアント１２に元販売者サーバー１６より送信されたトップページ（図１４図示）において、「発注入力」ボタンをクリックすると、顧客クライアント１２に商品検索画面が送信され（ステップＳ１０２）、次の２つの検索の入口があることが示される。すなわち、商品キーワード検索（キーワード、大分類からの複数検索でＡＮＤ検索をする）、商品カテゴリ検索（商品大分類から小分類へ絞り込みをする）がある（ステップＳ１０３）。
商品カテゴリには、例えば、大分類の「空調機・冷凍機用具」「計測器・測定器・検知器」「光学用具（レンズ・ミラー・ハンドライト）・工具セット」「アウトドア商品」「文具・筆記具・備品」「車・スポーツ・アウトドア」がある。
【００８２】
商品キーワード検索によって商品・サービス購入をする場合は、次のように行われる。
まず、元販売者サーバー１６の顧客管理部２１６により、ＷＷＷサーバー２０２によって、検索項目入力画面が顧客クライアント１２に送信される。
そして、顧客クライアント１２に送信される画面において、検索項目の入力を行う。検索項目の入力としては、キーワード入力フォームに入力し、商品分類をプルダウンメニューから指定し、「商品検索」ボタンを押す（ステップＳ１０４）。検索は、キーワード、商品分類の複数検索（ＡＮＤ検索）ができる。また、キーワード、商品分類のいずれも単独で検索が可能である。
【００８３】
元販売者サーバー１６においては、商品管理部２１２及び顧客管理部２１６により、顧客のランクを販売者データベース部３１６より検索し、当該ランクの単価又は掛け率を商品データベース部３１２より検索して、顧客に対応する単価を抽出するか又は掛け率等に基づき演算して販売単価を割り出す。
顧客クライアント１２により検索された検索結果は、元販売者サーバー１６よりＷＷＷサーバー２０２によって、顧客クライアント１２に送信される。
検索・演算結果としては、例えば、商品名、単価が、検索商品一覧画面に表示される（ステップＳ１０５）。
【００８４】
商品カテゴリ検索、すなわち、商品分類からの絞り込み検索によって商品・サービス購入をする場合は、元販売者サーバー１６の顧客管理部２１６により、ＷＷＷサーバー２０２によって検索項目入力画面が顧客クライアント１２に送信される。
そして、顧客クライアント１２に送信された画面において検索項目入力を行うが、まず、探したい商品の大分類名のハイパーリンクテキストをクリックする。
顧客クライアント１２により検索された検索結果は、元販売者サーバー１６より、ＷＷＷサーバー２０２によって検索結果出力画面が、顧客クライアント１２に送信される。
その検索結果には、選んだ分類に属する小分類、例えば、大分類名として「空調機・冷凍機用具」を検索した場合、それに対応する小分類として、「エアコン工具セット」「設備工具セット」等が表示される。さらに、小分類名をクリックすると、その分類に属する商品が絞り込まれ表示される。
検索された商品としては、商品名、単価等が、検索商品一覧画面に表示される（ステップＳ１０５）。
【００８５】
商品キーワード検索および商品カテゴリ検索によって表示される検索商品一覧画面において、商品名をクリック（ステップＳ１０６）すると、商品情報表示画面が、元販売者サーバー１６の顧客管理部２１６によりＷＷＷサーバー２０２を介して、顧客クライアント１２に送信される（ステップＳ１０７）。
商品情報表示画面においては、商品名、商品コード、単価、送料が表示される。そして、商品の写真および商品の仕様／内容の説明が表示される。
【００８６】
この商品情報表示画面を読んだ購入者は、商品情報表示画面の「発注予定かごに入れる」ボタンをチェックする（ステップＳ１０８）と、顧客コード（ログインコード）・パスワードの認証ダイアログボックスが顧客クライアント１２に送信される（ステップＳ１０９）。
購入者は、「発注予定かごに入れる」ボタンをクリックすることによってオープンした顧客ログインコード・パスワードの認証ダイアログボックスに入力し（ステップＳ１１０）、「認証」ボタンを押す。顧客登録をしていない者は、「新規顧客登録」ボタンを押して、顧客登録を行う（ステップ１１１）。
【００８７】
このとき、販売者サーバー１４においては、顧客管理部３６によって顧客データベース部５６の内容と照会され、顧客であることが認証できたなら、発注予定かごの中身を見ることができる（ステップＳ１１２）。
前記した商品情報表示画面において、「発注予定かごを見る」ボタンをクリックする（ステップＳ１１３）と、認証済みの場合には、発注予定かごの中身画面（図図示）が、元販売者サーバー１６の注文管理部２２０により、ＷＷＷサーバー２０２を介して、顧客クライアント１２に送信される（ステップＳ１１４）。
発注予定かごの中身画面においては、商品名、商品コード、個数、単価、送料、販売価格、合計金額が表示される。
【００８８】
この発注予定かごの中身画面において表示された商品の中で、購入しない商品があれば、削除のチェックボックスをチェックし、チェックされた商品について削除することが確定したら、「削除確定」ボタンをクリックする（ステップＳ１１５）。
さらに、発注予定かごを空にする場合には、「発注予定かごを空にする」ボタンをクリックする（ステップＳ１１６）。
「削除確定」ボタンをクリックした後は、チェックボックスにチェックした商品は削除され、削除した商品以外が再表示される（ステップ１１７）。
そして、「発注予定かごを空にする」ボタンをクリックした後は、発注予定かごの中身画面は閉じられ、商品情報表示画面に戻る（ステップＳ１１８）。
【００８９】
発注予定かごの中身画面において、「購入する」ボタンをクリックする（ステップＳ１１９）と、購入申込画面が、元販売者サーバー１６の注文管理部２２０により、ＷＷＷサーバー２０２を介して、顧客クライアント１２に送信される（ステップＳ１２０）。
発注入力画面（図１５図示）においては、取引情報（氏名、フリガナ、メールアドレス、郵便番号、住所、電話番号、合計金額（税込）、）が表示される（ステップＳ１２１）。
【００９０】
購入者と受取人とが相違する場合には、納品先の必要事項を入力するように構成されている。すなわち、顧客登録時の住所とは別の場所へ配達を希望する場合には、納品先に関する必要事項を入力する。納品先コードが選択されたときは、顧客管理部２１６は、顧客データベース部３１６を検索して、納品先を読み出す。
【００９１】
そして、納品先を特定し、さらに、商品名、商品コード、個数、単価、送料、合計金額を確認することができたならば、「注文内容を確認のうえ、“次へ”」ボタンをクリックする（ステップＳ１２２）。
【００９２】
次に、納品書発行代行システムによるデータベースサーバー２００の注文管理部２２０によりＷＷＷサーバー２０２を介して顧客クライアント１２に送信された発注入力画面に対応する購入確認画面（図１５図示）において、顧客クライアント１２において注文内容および納品先の確認をし、間違いがなければ「注文内容確認のうえ、“商品・サービス購入”」ボタンをクリックして、商品・サービス購入の手続をする。
現金支払いの場合には、決済システム８００での手続をする（ステップＳ１２３）。
【００９３】
商品購入者は、商品注文内容に基づいて、現金支払いをする場合には、任意の支払い機関において、商品購入代金の支払い処理を行うが、現金による支払いの場合は、次のように行う。
決済システム８００によって、現金による支払いの確認をした販売者サーバー１４において、購入者の支払い完了を示すデータが入力された後は、ＷＷＷサーバー機能部２２により販売者サーバー１４に支払い完了の確認を通知する電子メールが送信される。
支払い完了の確認を伝える電子メールを受信した元販売者は、購入した商品の購入内容を通知する電子メールの内容に基づいて、購入者への商品発送を行う。
現金支払いについては、コンビニエンスストアの現金支払機や代引等があるが、これらを用いた現金支払いには、それらを取扱う決済代行会社を経由して直接に、あるいは決済システム８００を経由して、販売者サーバー１４が入金完了の確認を通知する電子メール等の受信をする。
【００９４】
また、クレジットの支払いの場合には、販売者サーバー１４より決済手続・注文データが、決済システム８００の支払処理機関サーバー８１０に送信される。
決済手続・注文データを受信した支払処理機関サーバー８１０は、金融機関および各クレジット会社に対し、与信照会をする。
金融機関端末８２０からの与信結果を受信した支払処理機関サーバー８１０は、販売者サーバー１４に対して、与信結果を返信する。このとき、与信がＯＫであれば注文が成立する。
【００９５】
次に、注文がなされた以後の要求情報の流れ及び代理発行納品書並びに商品の流れに関する物流のルートについて説明する。
この注文したときには、２つの流れがある。
その１つは、元販売者で商品が調達できかつ顧客クライアントから注文を受けた販売者が元販売者に納品書の発行代行を要求する場合において顧客クライアント１２から販売者サーバー１４に注文がなされ、販売者サーバー１４から元販売者サーバー１６に向けて、注文受け付け確認の情報が配信されるときにおける商品のサービス購入の流れ（その１）（図１２参照）である。
あと１つは、元販売者で商品が調達できかつ顧客クライアントが直接元販売者に注文し納品書発行代行される場合において、直接顧客クライアント１２から元販売者サーバー１６に向けて注文の情報が配信されるときにおける商品・サービス購入の流れ（その２）（図１３参照）である。
【００９６】
まず、主として図１２に基づいて、元販売者で商品が調達できかつ顧客クライアントから注文を受けた販売者が元販売者に納品書発行代行を要求する場合について説明する。
顧客クライアント１２から注文情報を受け付けた販売者サーバー１４は、注文情報を元販売者サーバー１６に発注するために、販売者サーバー１４より、元販売者サーバー１６に、注文が確定した商品内容、顧客への販売単価や納品先（配達先）情報等のより詳しい情報を送信して、該注文に対応して納品書発行代行を元販売者サーバー１６に要求する。
このとき、次に示すような手順によって、前記受注した商品を販売者により設定された価格ランクに基づいた単価を示し、その単価によって自らの名の下に納品書を発行し且つ顧客の納品先へ配送することを、元販売者サーバー１６に依頼する（ステップ１３０）。
【００９７】
販売者サーバー１４は、前記顧客クライアント１２から、元販売者の下にある商品の注文情報を受けると、在庫状況管理部４４で、元販売者の下にある商品の在庫を元販売者サーバー１６において管理されている在庫状況データベース部３２６を閲覧して、確認する。
【００９８】
販売者サーバー１４は、納品書発行代行のために、納品書発行管理部４０により代行発行納品書フォーマットデータベース部６０に格納された自らの納品書フォーマットデータを検索し、当該顧客に対応する納品書フォーマットデータを元販売者サーバー１６に通信回線を介して送信する（ステップ１３０）。
なお、販売者サーバー１４は、納品書フォーマットデータを元販売者サーバー１６に一括して送信して代行発行納品書フォーマットデータベース部３２２にて記憶され管理されるようにしたときには、元販売者サーバー１６の納品書発行管理部２２２により、代行発行納品書フォーマットデータベース部３２２を検索して当該顧客に対応する納品書フォーマットデータを読み出す。そして、発行されるために納品書フォーマットデータをその都度送信をしないが、販売者サーバー１４から元販売者サーバー１６に予め送信されていないときには、販売者サーバー１４は、それぞれ注文毎に、元販売者サーバー１６に納品書フォーマットデータを送信することになる。
【００９９】
販売者サーバー１４は、購入者たる顧客より発注された商品の注文管理をする機能を有する注文管理部３８により購入者たる顧客より発注された商品の注文管理をする。
注文管理部３８は、顧客データベース部５６を検索して顧客のランクを抽出するとともに、商品データベース部５０を検索して該ランクに基づく商品の単価を抽出する。
注文管理部３８は、顧客より発注され、元販売者サーバー１６に発送及び納品書発行代行を要求した商品の情報の管理、例えば、顧客発注番号、注文年月日、元販売者コード、依頼主コード、顧客氏名、購入金額等を登録し、また、登録された情報を検索、表示する機能を有し、受注情報データベース部５４において記録し管理する。
取引情報としては、例えば、図２０に示すように次のような情報を有する。
・注文情報（発注番号（No.）（顧客発注番号（No.）を含む）、注文日、元販売者コード、元販売者名、合計金額）
・注文者情報（依頼主コード、顧客コード（ログインコード）、顧客氏名・名称、氏名・名称フリガナ、郵便番号、住所、メールアドレス、電話番号、ファックス番号）
・注文商品情報（商品コード、商品名、個数、顧客ランクに基づく単価又は掛け率、送料、販売価格、商品に対する要望）
・代行発行納品書情報（代行発行納品書フォーマット番号（No.）、元販売者コード）  顧客発注番号（No.）とは、顧客・顧客クライアント単位で、顧客クライアント１２により、任意に付加された発注番号である。
発注番号（No.）とは、顧客クライアント１２によりＷＥＢ発注入力を行った処理単位に、販売者サーバー１４によりシステム上で、発番される番号である。
注文に関する情報は、請求明細書・売上金元帳（売掛金管理簿）に記載され、取引追跡のキーとなる。
なお、販売者サーバー１４は、注文に関するデータを検索する機能を有する注文管理部２２０により、元販売者サーバー１６に発送及び納品書発行代行を要求した注文に関するデータを検索することができる。
【０１００】
次に、販売者サーバー１４は、前記注文商品の詳細情報とともに前記受注した商品を販売者により設定された価格ランクに基づいた単価を明示し、その単価によって自らの名の下に納品書を発行し且つ顧客の納品先へ配送することを、元販売者サーバー１６に依頼する（ステップ１３０）。
【０１０１】
販売者サーバー１４から注文及び納品書代行発行し顧客の納品先へ配送することを指示された元販売者サーバー１６は、その在庫状況管理部２２６により、商品コードに基づいて、元販売者の下にある商品の在庫の情報を記憶する在庫状況データベース部３２６を検索し、元販売者の下にある商品の存在を確認する。
在庫があれば、納品書発行管理部２２２に対して納品書の発行を指示する（ステップ１３１）。
【０１０２】
元販売者サーバー１６は、注文内容に従って注文管理部２２０及び納品書発行管理部２２２により、注文データベース部３２０及び代行発行納品書フォーマットデータベース部３２２を検索して販売者に対応する納品書を抽出するとともに商品を出荷することを要求する出荷指示書を抽出する（ステップ１３３）。
元販売者サーバー１６は、前記販売者サーバー１４からの注文情報に基づき、値入れの準備をする（ステップ１３２）。
元販売者サーバー１６の納品書発行管理部２２２は、販売者コード、代行発行納品書番号（納品書ＱＲコードのときもある）をキーとして予め販売者サーバー１４から送信されて代行発行納品書フォーマットデータベース部３２２に格納された販売者の代行発行納品書フォーマットデータを販売者コードに基づき抽出する。
そして、前記顧客クライアント１２からの注文情報に基づき、前記注文に対応する注文をした顧客に、該注文された商品に関する販売者の代行発行納品書を、元販売者のもとより前記販売者の名の下に発行し且つ顧客（納品先を含む）へ発送することができるようにするとともに、前記注文をした顧客（納品先を含む）に該注文された商品を配送するための配送伝票を作成する。
【０１０３】
元販売者サーバー１６の注文管理部２２０は、顧客より発注された商品の情報の管理、例えば、顧客発注番号、注文年月日、販売者コード、依頼主コード、注文者である顧客の氏名、購入金額等を登録し、注文データベース部３２０において記録し管理する。
取引情報としては、例えば、図２０に示すように次のような情報を有する。
・注文情報（発注番号（No.）、管理番号（No.）及び顧客発注番号（No.）、注文日、販売者コード、販売者名、合計金額を含む）
・注文者情報（依頼主コード、顧客氏名・名称、氏名・名称のフリガナ、郵便番号、住所、メールアドレス、電話番号、ファックス番号）
・注文商品情報（商品コード、商品名、個数、顧客ランクに基づく単価、送料、販売価格、商品に対する要望）
・代行発行納品書情報（代行発行納品書フォーマット番号（No.）、販売者コード）  ・出荷指示情報（納品先、納品先コード、出荷指示番号（No.）、出荷依頼番号（No.））
発注番号とは、顧客クライアント１２によりＷＥＢ発注入力を行った処理単位毎に販売者サーバー１４又は元販売者サーバー１６によりシステム上で、発番される番号であり、販売者が顧客より発注された商品に関する情報の確認をするための確認番号である。この実施の形態においては、発注番号は、元販売者にとっての受注番号であり、システム上１つのユニークな番号とする。発注番号と同義の受注番号は、タイムバケット概念により分類管理する。タイムバケットは、その日の出荷可能なものを区別するために（例えば、Ｐ．Ｍ．５：００迄）、時間帯毎に及び／又は物流センター又は製造者（メーカー）毎に、商品の属性として分類している。
顧客発注番号とは、顧客・顧客クライアント単位で、顧客クライアント１２により任意に付加された発注を識別する番号であり、顧客が発注した商品の確認をするための番号である。
依頼主コードとは、依頼主（発注者たる顧客）及び販売者を表す番号であり、販売者コードと枝番で構成される。
出荷指示番号とは、元販売者の物流センター等の送り主に対して同一納品先、発送日で纏めた集合に対して、出荷指図単位に自動採番された番号をいう。
出荷依頼番号とは、上記出荷指示番号とほぼ同格の扱いとなるものの、出荷を指示する先が外部企業である製造者等の送り主である場合に、出荷指示番号として採番される番号をいう。
代行発行納品書番号とは、出荷指示番号・出荷依頼番号に従って売上金額算出のための単価値入がされた出荷商品を伴った明細と一致する単位で印字の際に処理単位毎にユニークに採番される。代行発行納品書番号は、予め、販売者との間の約束事に従って採番されるが、販売者のオリジナル番号と重ならない番号とする。（例えば、番号の先頭が変わるかの、別の記号を付ける。）
管理番号とは、元販売者において伝票が発生したとき、元販売者サーバー１６により自動採番される番号であり、伝票等の取引関係及び帳票を管理する番号である。
注文に関する情報は、請求明細書・売上金元帳（売掛金管理簿）に記載され、管理番号により取引追跡のキーとなる。
販売価格は、商品毎に[（単価）×個数]で計算され、表示される。
合計金額は、一つの代行発行納品書毎の販売価格の合計である。
この注文管理部２２０は、注文に関するデータを検索する機能を有する。
【０１０４】
元販売者サーバー１６の納品書発行管理部２２２は、販売者コードに基づき、代行発行納品書フォーマットデータベース部３２２より、代行発行納品書フォーマット番号に基づき代行発行納品書のフォーマットを抽出する（ステップ１３３）。
そして、元販売者サーバー１６の納品書発行管理部２２２は、図１９において示すように、注文データベース部３２０及び販売ルートデータベース部３３４より、依頼主コード、顧客コード（ログインコード）、納品先コードに対応して、顧客の氏名、名称、住所、電話番号等の顧客及び／又は販売者を判定する情報を抽出し、且つ、注文データベース部３２０より、注文情報（合計金額等）、注文商品に関する情報（商品コード、商品名、数量、単価、販売価格）、販売者向け情報（発注番号（No.）を含む）及び顧客向け情報（顧客発注番号（No.）を含む）を抽出して、代行発行納品書フォーマットに当て嵌める。
納品書発行管理部２２２は、販売者コード、顧客コード（ログインコード）（顧客コード及び枝番を含む）、代行発行納品書フォーマット番号をキーとして、代行発行納品書フォーマットデータベース部３２２から代行発行納品書フォーマットを抽出し、前記販売者の元で認定されたランクに基づき、顧客向け単価、販売数量を表した代行発行納品書を発行する（ステップ１３４）。
【０１０５】
代行発行納品書は、注文日、合計金額等の注文情報、販売者の住所、名称、氏名等の販売者を特定する情報、顧客発注番号（No.）等の顧客向け情報、発注番号（No.）等の販売者向け情報、代行発行納品書番号（No.）等の納品書特定情報、顧客向け単価、商品コード、数量、販売価格等の商品に関する情報、顧客先名を含む顧客からの注文情報が表示される。
代行発行納品書番号は、ＱＲコード化してもよい。
ＱＲコードを付された商品を受け取った顧客は、ＱＲコードをリーダーで読み取ることによって、代行発行納品書を確認し、発行することもできる。
【０１０６】
売り上げ管理部２２８は、注文データベース部３２０及び代行発行納品書フォーマットデータベース部３２２の情報を基にして、売り上げ情報を売り上げ情報データベース部３２８に記録し、管理する。
【０１０７】
次に、主として図１３に基づいて、元販売者で商品が調達できかつ顧客クライアントが直接元販売者に注文し、元販売者において納品書を発行代行される場合について、説明する。
注文者たる顧客より発注された商品の注文を直接的に受注した元販売者サーバー１６の注文管理部２２０は、発注した顧客向けの（顧客）価格ランク（販売者の元で認定されたランク）が判明している顧客か、あるいは判明していない顧客かを、顧客コード（ログインコード）及び顧客ランク（販売者の元で認定されたランク）に基づいて、顧客データベース部３１６を検索して判断する（ステップ１４０）。
判明していない顧客の場合には、元販売者サーバー１６は、販売者サーバー１４にその旨送信する。
それを受信した販売者サーバー１４は、顧客管理部３６により顧客データベース部５６を顧客コード（ログインコード）に基づいて検索して、顧客ランクを抽出し、元販売者サーバー１６に抽出された顧客ランクを含む顧客情報を送信する（ステップ１４１）。あるいは、販売者サーバー１４は、顧客管理部３６により顧客データベース部５６を顧客コード（ログインコード）に基づいて検索して、顧客ランクを抽出するとともに、商品管理部３２により商品データベース部５０を顧客コード（ログインコード）に基づいて検索して販売単価を抽出し、元販売者サーバー１６に抽出された販売単価を含む顧客情報を送信する（ステップ１４１）。
元販売者サーバー１６は、顧客情報を受信して、注文管理部２２０により顧客ランクに基づいて顧客データベース部３１６及び商品データベース部３１２を検索して、顧客向け単価を抽出するか又は掛け率等に基づき演算して販売単価を割り出す。
次に、元販売者サーバー１６は、割り出された販売単価又は販売者サーバー１４より送信された販売単価に基づいて、注文された商品の購入金額の値入れの準備をする（ステップ１４２）。
【０１０８】
次に、元販売者サーバー１６の注文管理部２２０は、顧客より発注された商品の情報の管理、例えば、注文ナンバー、注文年月日、販売者コード、注文者たる顧客コード（ログインコード）、注文者氏名、購入金額等を登録し、注文データベース部３２０において記録し管理する。
取引情報としては、例えば、図２０に示すように次のような情報を有する。
・注文情報（発注番号（No.）、管理番号（No.）及び顧客発注番号（No.）、注文日、販売者コード、販売者名、合計金額を含む）
・注文者情報（依頼主コード、顧客氏名・名称、氏名・名称のフリガナ、郵便番号、住所、メールアドレス、電話番号、ファックス番号）
・注文商品情報（商品コード、商品名、個数、顧客ランクに基づく単価、送料、販売価格、商品に対する要望）
・代行発行納品書情報（代行発行納品書フォーマット番号（No.）、販売者コード）  ・出荷指示情報（納品先、納品先コード、出荷指示番号（No.）、出荷依頼番号（No.））
発注番号とは、顧客クライアント１２によりＷＥＢ発注入力を行った処理単位毎に販売者サーバー１４又は元販売者サーバー１６によりシステム上で、発番される番号であり、販売者が顧客より発注された商品に関する情報の確認をするための確認番号である。この実施の形態においては、発注番号は、元販売者にとっての受注番号であり、システム上１つのユニークな番号とする。発注番号と同義の受注番号は、タイムバケット概念により分類管理する。タイムバケットは、その日の出荷可能なものを区別するために（例えば、Ｐ．Ｍ．５：００迄）、時間帯毎に及び／又は物流センター又は製造者（メーカー）毎に、商品の属性として分類している。
顧客発注番号とは、顧客・顧客クライアント単位で、顧客クライアント１２により任意に付加された発注を識別する番号であり、顧客が発注した商品の確認をするための番号である。
依頼主コードとは、依頼主（発注者たる顧客）及び販売者を表す番号であり、販売者コードと枝番で構成される。
出荷指示番号とは、元販売者の物流センター等の送り主に対して同一納品先、発送日で纏めた集合に対して、出荷指図単位に自動採番された番号をいう。
出荷依頼番号とは、上記出荷指示番号とほぼ同格の扱いとなるものの、出荷を指示する先が外部企業である製造者等の送り主である場合に、出荷指示番号として採番される番号をいう。
代行発行納品書番号とは、出荷指示番号・出荷依頼番号に従って売上金額算出のための単価値入がされた出荷商品を伴った明細と一致する単位で印字の際に処理単位毎にユニークに採番される。代行発行納品書番号は、予め、販売者との間の約束事に従って採番されるが、販売者のオリジナル番号と重ならない番号とする。（例えば、番号の先頭が変わるかの、別の記号を付ける。）
管理番号とは、元販売者において伝票が発生したとき、元販売者サーバー１６により自動採番される番号であり、伝票等の取引関係及び帳票を管理する番号である。
注文に関する情報は、請求明細書・売上金元帳（売掛金管理簿）に記載され、管理番号により取引追跡のキーとなる。
販売価格は、商品毎に[（単価）×個数]で計算され、表示される。
合計金額は、１納品書毎の販売価格の合計である。
この注文管理部２２０は、注文に関するデータを検索する機能を有する。
【０１０９】
元販売者サーバー１６の在庫状況管理部２２６は、在庫状況データベース部３２６を検索して、注文された商品の在庫を確認し、物流センター等に在庫があれば、納品書発行管理部２２２に対して納品書の発行を指示する（ステップ１４３）。
【０１１０】
元販売者サーバー１６は、注文内容に従って、注文管理部２２０及び納品書発行管理部２２２により、注文データベース部３２０及び代行発行納品書フォーマットデータベース部３２２を検索して、販売者に対応する納品書を抽出するとともに商品を出荷することを要求する出荷指示書を抽出する（ステップ１４４）。
【０１１１】
元販売者サーバー１６の納品書発行管理部２２２は、販売ルート番号と、依頼者コード及び／又は販売者コード及び／又は顧客コード（ログインコード）と、代行発行納品書フォーマット番号とに基づき、代行発行納品書フォーマットデータベース部３２２より、代行発行納品書のフォーマットを抽出する。
そして、元販売者サーバー１６の納品書発行管理部２２２は、図１９において示すように、注文データベース部３２０より、顧客コード（ログインコード）、納品先コードに対応して顧客の氏名、名称、住所、電話番号等の顧客及び／又は販売者を判定する情報を抽出し、且つ、注文データベース部３２０より商品に関する情報（商品コード、商品名、数量、単価、金額）、販売者向け情報（発注番号（No.）を含む）及び顧客向け情報（顧客発注番号（No.）を含む）を抽出して、代行発行納品書フォーマットに当て嵌める。
顧客向け代行発行納品書は、納品書発行管理部２２２が、依頼主コード、販売者コード、顧客コード（ログインコード）（販売者コード及び管理番号を含む）及び代行発行納品書フォーマット番号をキーとして、代行発行納品書フォーマットデータベース部３２２から代行発行納品書フォーマットを抽出し、図１９に示すように、前記販売者の元で認定されたランクに基づく顧客向け単価、販売数量を表した代行発行納品書を発行する（ステップ１４５）。
【０１１２】
代行発行納品書は、販売者の住所、名称、氏名等の販売者を特定する情報、顧客発注番号（No.）等の顧客向け単価、発注番号（No.）等の販売者向け情報、代行発行納品書番号（No.）等の納品書特定情報、顧客向け価格、商品コード、数量、販売価格等の商品に関する情報、顧客先名、合計金額を含む顧客からの注文情報が表示される。
代行発行納品書番号は、ＱＲコード化してもよい。
ＱＲコードを付された商品を受け取った顧客は、ＱＲコードをリーダーで読み取ることによって、代行発行納品書を確認し、発行することもできる。
【０１１３】
元販売者サーバー１６は、注文内容に従って注文管理部２２０及び納品書発行管理部２２２により、注文データベース部３２０及び代行発行納品書フォーマットデータベース部３２２を検索して、商品を出荷することを要求する出荷指示書を抽出する（ステップ１４４）。
【０１１４】
次に、出荷指示について説明する。
出荷指示は、元販売者で商品が調達できかつ顧客クライアントから注文を受けた販売者が元販売者に納品書の発行代行を要求する場合と、元販売者で商品が調達できかつ顧客クライアントが直接元販売者に注文し納品書を発行代行される場合とのいずれかの場合も、同様である。
まず、元販売者サーバー１６の納品書発行管理部２２２は、図２０に示すような、注文情報（発注番号（No.）及び顧客発注番号（No.）を含む）、注文者情報、出荷指示情報（納品先、納品先コード、出荷指示番号（No.））及び注文商品情報（商品名、商品コード、個数）を含む出荷指示書を発行する（ステップ１３４及び１４５）。
次に、元販売者の物流センターの送り主サーバー１８に、出荷指示書を送信して、出荷指示をする（ステップ１４６）。
【０１１５】
売り上げ管理部２２８は、注文データベース部３２０及び代行発行納品書フォーマットデータベース部３２２の情報を基にして、売り上げ情報を売り上げ情報データベース部３２８に記録し、管理する。
【０１１６】
代行発行された納品書は、前記注文情報（注文日、合計金額等）、注文商品に関する情報（商品コード、商品名、数量、単価、販売価格）、販売者向け情報（発注番号（No.）を含む）及び顧客向け情報（顧客発注番号（No.）を含む）を記入されている。
当該納品書を受け取った顧客は、自ら発注した商品が届けられたことを確認するとともに、商品と納品書とを照合し直ちに経理処理（仕入れ計上）をすることができる。
また、販売者サーバー１４は、当該代行発行された納品書の控の情報を元販売者サーバー１６から受け取ると、直ちに経理処理（売り上げ計上）をすることができる。
【０１１７】
次に、元販売者の元において在庫が無いことが確認されたときについて、主として図１７及び図１８に基づいて、説明する。
その場合には、２つの流れがある。
その１つは、元販売者で商品が調達できかつ顧客クライアントが直接元販売者に納品書発行代行を要求する場合における、商品・サービス購入の流れ（その３）を示すフローチャート図（図１７図示）の流れである。
もう１つは、元販売者で商品が調達できかつ顧客クライアントから注文を受けた販売者が注文し納品書を発行代行される場合における、商品・サービス購入の流れ（その４）を示すフローチャート図（図１８図示）の流れである。
【０１１８】
まず、元販売者サーバー１６は、製造者等の外部企業にある送り主サーバー１８に納品書の商品への添付指示及び注文された商品の発送の要求をする。
前記したように、元販売者サーバー１６は、発行した代行発行納品書とともに、出荷依頼番号（No.）を採番して付された出荷依頼書を発行して送り主サーバー１８に送信する（図２参照）。
【０１１９】
出荷依頼については、前記出荷指示と類似しており、元販売者サーバー１６の納品書発行管理部２２２は、図２０に示すような、注文情報（発注番号（No.）及び顧客発注番号（No.）を含む）、注文者情報、出荷依頼情報（納品先、納品先コード、出荷依頼番号（No.））及び注文商品情報（商品名、商品コード、個数）を、送り主サーバー１８に送信して、出荷依頼をする（ステップ１５０）。
【０１２０】
元販売者サーバー１６は、注文情報（発注番号（No.）及び顧客発注番号（No.）を含む）、注文者情報、出荷依頼情報（納品先、納品先コード、出荷依頼番号（No.））及び注文商品情報（商品名、商品コード、個数）を含む出荷依頼書と代行発行納品書とを、同時発行するのか否かを選択する（ステップ１５１）。
元販売者サーバー１６は、元販売者サーバー１６において同時に発行されるのではなく、前記した代行発行納品書の発行に準じ、納品書発行管理部２２２により、代行発行納品書に記載すべき情報（注文情報、注文者情報、注文商品情報及び代行発行納品書情報）を送り主サーバー１８に送信して、送り主サーバー１８において発行されるようにしてもよい（図１７及び図１８参照）。
又は、送り主サーバー１８により代行発行納品書フォーマット番号をキーとして、元販売者サーバー１６において管理されている代行発行納品書フォーマットデータベース部３２２から代行発行納品書フォーマットを抽出し、前記販売者の元で認定されたランクに基づく顧客向け価格、販売数量を表した、代行発行納品書が発行され、商品とともに納品先に届けられるようにしてもよい（ステップ１５２）。
【０１２１】
送り主サーバー１８は、売り上げ情報として、代行発行納品書又は仕入れ（売り上げ）伝票を、搬送責任を有する運送業者が採番した、送り状番号（No.）又は問い合わせ番号（No.）も付けて、元販売者サーバー１６に送信する。
【０１２２】
元販売者サーバー１６は、商品に発行された代行発行納品書が添付されて（もしくはＱＲコードが付されて）、商品が発送されると、売上伝票とともに又は売上伝票に代えて、発行された代行発行納品書の控に関する情報を、販売者サーバー１４に送信する。
このとき、元販売者サーバー１６において販売者に対する売り上げ番号（No.）が採番され、該売上番号（No.）、顧客発注番号（No.）、発注番号（No.）、代理発行納品書（控）が販売者サーバー１４に送られる。
【０１２３】
なお、現金支払いの場合には、元販売者サーバー１６より、出荷チェック情報が支払処理機関サーバー８１０に向けて、送信され、支払処理機関サーバー８１０において、入金チェックをすることにより、受注が確定する。
また、支払処理機関サーバー８１０よりの指示により、元販売者サーバー１６から販売者サーバー１４に対し、売上伝票の送信及び／又は出荷確認のメールが配信される。売上伝票には、顧客発注番号（No.）、発注番号（No.）、代行発行納品書フォーマット番号（No.）及び元販売者で採番した売上番号（No.）が含められる。
【０１２４】
また、掛け売りしたときには、売り上げ管理部２２８は、代行発行納品書フォーマットデータベース部３２２の情報を基にして、商品を販売者の顧客に掛売りしたときの未収代金を売り掛け計上し、売り上げ情報データベース部３２８に記録して、顧客、販売者毎に管理する。
掛売り代金を回収した時には、売り上げ情報データベース部３２８と決済情報データベース部３３２とを比較し、処理をする。
【０１２５】
各顧客の商品購入に関するデータは、購入管理部２３０において、注文管理部２２０によって管理されている注文データベース部３２０の情報を受け取り、受注番号（No.）、管理番号、注文年月日、合計金額等の注文情報、購入販売者名等の注文者情報、注文状況、注文された商品に関する商品情報（商品名、商品コード、個数、単価、送料、販売価格）を、購入データベース部３３０に記録し管理され、検索することもできる。
【０１２６】
なお、前記元販売者サーバー１６は、前記販売者サーバー１４に対し、顧客向け価格、商品コード、数量、顧客先名を含む顧客からの注文データを、元販売者サーバー１６に送信することを促す注文登録画面を送信し、前記販売者サーバー１４から送信された前記注文登録画面に基づく注文情報を受信し、注文データベース部３２０に登録するようにしてもよい。
【産業上の利用可能性】
【０１２７】
上述したように、この発明によれば、売上計上及び仕入れ計上を早くすることができ、  商流と物流の一致を図る事ができる納品書発行が行えるネットワークを利用した納品書発行代行システム及びその方法を提供することができる。
【図面の簡単な説明】
【０１２８】
【図１】本発明にかかるネットワークを利用した納品書発行代行システムを示す図解図である。
【図２】本発明にかかるネットワークを利用した納品書発行代行システムを示す図解図である。
【図３】販売者サーバーを示す機能ブロック図である。
【図４】販売者サーバーを示す機能ブロック図である。
【図５】元販売者サーバーを示す図解図である。
【図６】元販売者サーバーを示す図解図である。
【図７】本発明にかかるネットワークを利用した納品書発行代行システムにおいて顧客に送信される注文画面を示す図解図である。
【図８】本発明にかかるネットワークを利用した納品書発行代行システムにおいて商品販売が行われる場合の動作を示すフローチャート図である。
【図９】この発明にかかるネットワークを利用した納品書発行代行システムにおける販売者の商品管理部のデータベースの図解図である。
【図１０】この発明にかかるネットワークを利用した納品書発行代行システムにおける元販売者の元販売者の販売者管理データベースを示す図解図である。
【図１１】この発明にかかるネットワークを利用した納品書代行システムにおける販売者の注文データベースの図解図である。
【図１２】元販売者で商品が調達できかつ顧客クライアントから注文を受けた販売者が元販売者に納品書の発行代行を要求する場合における、商品・サービス購入の流れ（その１）を示すフローチャート図である。
【図１３】元販売者で商品が調達できかつ顧客クライアントが直接元販売者に注文し納品書を発行代行される場合における、商品・サービス購入の流れ（その２）を示すフローチャート図である。
【図１４】処理選択機能表示画面である。
【図１５】発注入力画面である。
【図１６Ａ】商品購入の流れを示すフローチャート図である。
【図１６Ｂ】商品購入の流れを示すフローチャート図である。
【図１６Ｃ】商品購入の流れを示すフローチャート図である。
【図１６Ｄ】商品購入の流れを示すフローチャート図である。
【図１７】元販売者で商品が調達できかつ顧客クライアントが直接元販売者に納品書の発行代行を要求する場合における、商品・サービス購入の流れ（その３）を示すフローチャート図である。
【図１８】元販売者で商品が調達できかつ顧客クライアントから注文を受けた販売者が注文し納品書を発行代行される場合における、商品・サービス購入の流れ（その４）を示すフローチャート図である。
【図１９】この発明にかかるネットワークを利用した納品書代行システムにおける元販売者の代行発行納品書の図解図である。
【図２０】この発明にかかるネットワークを利用した納品書代行システムにおける元販売者の注文情報ファイルを示す図解図である。
【図２１】製造者サーバーを示す機能ブロック図である。
【図２２】決済システムを含む、ネットワークを利用した納品書発行代行システムを示す図解図である。
【図２３】本発明にかかるネットワークを利用した納品書発行代行システムを示す図解図である。
【図２４】ログインに関する情報（データ）を示す図解図である。
【図２５】販売ルートに関する情報（データ）を示す図解図である。
【図２６】注文に関する情報（データ）を示す図解図である。
【図２７】商品の価格に関する情報（データ）を示す図解図である。
【符号の説明】
【０１２９】
１０  納品書発行代行システム
１２  顧客クライアント(集中購買顧客クライアント)
１２ａ，１２ｂ  分散購買顧客クライアント
１４  販売者サーバー
１４ａ  代理店サーバー
１４ｂ  小売店サーバー
１６  元販売者サーバー
１８  送り主サーバー
２０  データベースサーバー
２２  ＷＷＷサーバー機能部
２４  電子メール送受信部
３０  運用管理部
３２  商品管理部
３４  元販売者情報管理部
３６  顧客管理部
３８  注文管理部
４０  納品書発行管理部
４２  メール管理部
４４  在庫状況管理部
４６  売り上げ管理部
４８  購入管理部
５０  商品データベース部
５２  元販売者データベース部
５４  受注情報データベース部
５６  顧客データベース部
５８  メールデータデータベース部
６０  代行発行納品書フォーマットデータベース部
６２  決済情報データベース部
６４  売り上げ情報データベース部
１００  ネットワーク
２００  データベースサーバー
２０２  ＷＷＷサーバー
２０４  電子メール送受信部
２１０  運用管理部
２１２  商品管理部
２１４  販売者情報管理部
２１６  顧客管理部
２１８  送り主管理部
２２０  注文管理部
２２２  納品書発行管理部
２２４  メール管理部
２２６  在庫状況管理部
２２８  売り上げ管理部
２３０  購入管理部
２３４  販売ルート管理部
３１０  運用管理データベース部
３１２  商品データベース部
３１４  商品販売者データベース部
３１６  顧客データベース部
３１８  送り主データベース部
３２０  注文データベース部
３２２  代行発行納品書フォーマットデータベース部
３２４  メールデータデータベース部
３２６  在庫状況データベース部
３２８  売り上げ情報データベース部
３３０  購入データベース部
３３２  決済情報データベース部
３３４  販売ルートデータベース部
４００  データベースサーバ
４０２  認証機能手段
４０４  送り主情報管理手段
４０６  出荷依頼管理手段
４０８  納品書発行管理手段
４１６  出荷依頼データベース部
８００  決済システム
８１０  支払処理機関サーバー
８２０  金融機関
【図１】
2009015481.tif 000006
【図２】
2009015481.tif 000007
【図３】
2009015481.tif 000008
【図４】
2009015481.tif 000009
【図５】
2009015481.tif 000010
【図６】
2009015481.tif 000011
【図７】
2009015481.tif 000012
【図８】
2009015481.tif 000013
【図９】
2009015481.tif 000014
【図１０】
2009015481.tif 000015
【図１１】
2009015481.tif 000016
【図１２】
2009015481.tif 000017
【図１３】
2009015481.tif 000018
【図１４】
2009015481.tif 000019
【図１５】
2009015481.tif 000020
【図１６Ａ】
2009015481.tif 000021
【図１６Ｂ】
2009015481.tif 000022
【図１６Ｃ】
2009015481.tif 000023
【図１６Ｄ】
2009015481.tif 000024
【図１７】
2009015481.tif 000025
【図１８】
2009015481.tif 000026
【図１９】
2009015481.tif 000027
【図２０】
2009015481.tif 000028
【図２１】
2009015481.tif 000029
【図２２】
2009015481.tif 000030
【図２３】
2009015481.tif 000031
【図２４】
2009015481.tif 000032
【図２５】
2009015481.tif 000033
【図２６】
2009015481.tif 000034
【図２７】
2009015481.tif 000035